(57)【要約】【課題】ユーザの操作性の向上を図ることが可能な、表示制御装置、表示装置、表示制御方法、およびプログラムを提供する。【解決手段】ユーザの前方に表示オブジェクトを表示することが可能な表示面が位置するようにユーザに装着される表示装置における、表示面に表示される表示オブジェクトの表示を、制御する表示制御部を備え、表示制御部は、表示装置においてユーザの側面の位置に設けられる操作デバイスにおける検出に応じて取得される操作信号に基づいて、表示オブジェクトを移動させる少なくとも一部の軌道が、表示面に対して垂直方向成分を有する軌道を示すように、表示オブジェクトの表示を制御する、表示制御装置が提供される。【選択図】図９
2014164449.tif 000002
【特許請求の範囲】
【請求項１】
ユーザの前方に表示オブジェクトを表示することが可能な表示面が位置するように前記ユーザに装着される表示装置における、前記表示面に表示される表示オブジェクトの表示を、制御する表示制御部を備え、
前記表示制御部は、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示制御装置。
【請求項２】
前記表示制御部は、前記操作信号の取得状態に基づいて、選択的に、前記表示オブジェクトを移動させる少なくとも一部の軌道が、前記表示面に対して垂直方向成分を有する軌道を示すように、前記表示オブジェクトの表示を制御する、請求項１に記載の表示制御装置。
【請求項３】
前記表示制御部は、
前記操作信号が取得された場合には、前記表示オブジェクトを移動させる少なくとも一部の軌道が、前記表示面に対して垂直方向成分を有する軌道を示すように、前記表示オブジェクトの表示を制御し、
前記表示オブジェクトを移動させる少なくとも一部の軌道が、前記表示面に対して垂直方向成分を有する軌道を示すように、前記表示オブジェクトの表示を制御した後、設定されている所定の時間、前記操作信号が取得されない場合には、前記表示オブジェクトを移動させる軌道全体を、前記表示面に対して垂直方向成分を有さない軌道を示すように、前記表示オブジェクトの表示を制御する、請求項２に記載の表示制御装置。
【請求項４】
前記表示制御部は、前記操作信号が取得された場合には、前記表示面に表示させる表示オブジェクトのうちの少なくとも一部の表示オブジェクトを、前記表示面に対して垂直方向成分を有するように表示させる、請求項１に記載の表示制御装置。
【請求項５】
前記表示制御部は、
前記表示面に表示させる表示オブジェクトのうちの一の部分を、前記表示面に対して垂直方向成分を有さないように表示させ、
前記表示面に表示させる表示オブジェクトのうちの他の部分を、前記表示面に対して垂直方向成分を有するように表示させる、請求項４に記載の表示制御装置。
【請求項６】
前記表示制御部は、前記表示面に表示させる表示オブジェクトの全体を、前記表示面に対して垂直方向成分を有するように表示させる、請求項４に記載の表示制御装置。
【請求項７】
前記表示制御部は、前記操作信号が取得されていない場合には、前記表示オブジェクトを移動させる軌道全体が、前記表示面に対して垂直方向成分を有さない軌道を示すように、前記表示オブジェクトの表示を制御する、請求項１に記載の表示制御装置。
【請求項８】
前記表示制御部は、前記表示面に表示させる表示オブジェクトの全体を、前記表示面に対して垂直方向成分を有さないように表示させる、請求項７に記載の表示制御装置。
【請求項９】
前記表示制御部は、前記操作信号が取得された場合には、前記軌道に沿って、前記操作信号が示す操作方向に対応する方向にスクロールさせることによって、前記表示オブジェクトを移動させる、請求項１に記載の表示制御装置。
【請求項１０】
前記表示装置において前記ユーザの側面の位置に設けられる前記操作デバイス以外の操作デバイスにおける検出に応じた操作信号が取得された場合には、
前記表示制御部は、前記表示オブジェクトを移動させる少なくとも一部の軌道が、前記表示面に対して垂直方向成分を有する軌道を示すように、前記表示オブジェクトを表示させない、請求項１に記載の表示制御装置。
【請求項１１】
前記操作デバイスは、前記ユーザによる前記操作デバイスに対する操作入力、または、前記ユーザの前記操作デバイスへの近接を、検出する、請求項１に記載の表示制御装置。
【請求項１２】
表示オブジェクトを表示することが可能な表示面を有し、ユーザに装着されたときに、前記ユーザの前方に前記表示面が位置する表示部と、
ユーザに装着されたときに、前記ユーザの側面の位置に設けられる操作部と、
前記表示面に表示される表示オブジェクトの表示を制御する表示制御部と、
を備え、
前記表示制御部は、前記操作部における検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示装置。
【請求項１３】
前記操作部は、ユーザに装着されたときに、前記ユーザのこめかみ部分に位置するテンプル部材上に備えられる、請求項１２に記載の表示装置。
【請求項１４】
前記表示装置は、ユーザの頭部に装着されるヘッドマウントディスプレイである、請求項１２、または１３に記載の表示装置。
【請求項１５】
ユーザの前方に表示オブジェクトを表示することが可能な表示面が位置するように前記ユーザに装着される表示装置における、前記表示面に表示される表示オブジェクトの表示を、制御するステップを有し、
前記制御するステップでは、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示制御方法。
【請求項１６】
ユーザの前方に表示オブジェクトを表示することが可能な表示面が位置するように前記ユーザに装着される表示装置における、前記表示面に表示される表示オブジェクトの表示を、制御するステップを、コンピュータに実行させ、
前記制御するステップでは、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、プログラム。
【発明の詳細な説明】
【技術分野】
【０００１】
本開示は、表示制御装置、表示装置、表示制御方法、およびプログラムに関する。
【背景技術】
【０００２】
例えば、操作デバイスを備えたヘッドマウントディスプレイ（Head  Mounted  Display。以下、「ＨＭＤ」と示す場合がある。）が開発されている。操作デバイスを備えたＨＭＤに関する技術としては、例えば、下記の特許文献１に記載の技術が挙げられる。
【先行技術文献】
【特許文献】
【０００３】
【特許文献１】特開２０１１−２４９９６６号公報
【発明の概要】
【発明が解決しようとする課題】
【０００４】
例えばＨＭＤのように、ユーザの前方に表示面が位置するようにユーザに装着される表示装置では、装着したユーザの側面に、ユーザが操作可能な操作デバイスが設けられることがある。ここで、上記のような表示装置において、ユーザが上記操作デバイスを操作する場合には、ユーザは操作デバイスを視覚で認識した上で操作を行うことは困難である。そのため、上記のような表示装置では、例えば、自己が行った操作の結果生じる表示面に表示される表示内容の変化（例えば、表示オブジェクトの移動や、カーソルなどにより選択される表示オブジェクトの変更など）が、所望の変化とならないことなどによって、ユーザの操作性の低下が生じる恐れがある。
【０００５】
ここで、例えば特許文献１に記載の技術が用いられる場合には、操作デバイスの機能を案内するガイド表示画像が表示面に表示される。そのため、例えば特許文献１に記載の技術が用いられる場合、ガイド表示画像に従った操作をユーザが行うことができれば、所望の操作をユーザに行わせることが可能である。よって、例えば特許文献１に記載の技術が用いられる場合には、ユーザの操作性の低下をある程度は防止できる可能性はある。
【０００６】
しかしながら、上記のように、装着したユーザの側面に操作デバイスが設けられる表示装置では、ユーザは当該操作デバイスを視覚で認識した上で操作を行うことは困難である。そのため、例えば特許文献１に記載の技術のようにガイド表示画像を表示面に表示させたとしても、ユーザは、ガイド表示画像が示す内容と、上記操作デバイスに対する操作内容とを、直感的に把握できるとは限らない。よって、例えば特許文献１に記載の技術を用いたとしても、例えば上記のようなユーザの操作性の低下が生じうる。
【０００７】
本開示では、ユーザの操作性の向上を図ることが可能な、新規かつ改良された表示制御装置、表示装置、表示制御方法、およびプログラムを提案する。
【課題を解決するための手段】
【０００８】
本開示によれば、ユーザの前方に表示オブジェクトを表示することが可能な表示面が位置するように上記ユーザに装着される表示装置における、上記表示面に表示される表示オブジェクトの表示を、制御する表示制御部を備え、上記表示制御部は、上記表示装置において上記ユーザの側面の位置に設けられる操作デバイスにおける検出に応じて取得される操作信号に基づいて、上記表示オブジェクトを移動させる少なくとも一部の軌道が、上記表示面に対して垂直方向成分を有する軌道を示すように、上記表示オブジェクトの表示を制御する、表示制御装置が提供される。
【０００９】
また、本開示によれば、表示オブジェクトを表示することが可能な表示面を有し、ユーザに装着されたときに、上記ユーザの前方に上記表示面が位置する表示部と、ユーザに装着されたときに、上記ユーザの側面の位置に設けられる操作部と、上記表示面に表示される表示オブジェクトの表示を制御する表示制御部と、を備え、上記表示制御部は、上記操作部に対する操作に応じて取得される操作信号に基づいて、上記表示オブジェクトを移動させる少なくとも一部の軌道が、上記表示面に対して垂直方向成分を有する軌道を示すように、上記表示オブジェクトの表示を制御する、表示装置が提供される。
【００１０】
また、本開示によれば、ユーザの前方に表示オブジェクトを表示することが可能な表示面が位置するように上記ユーザに装着される表示装置における、上記表示面に表示される表示オブジェクトの表示を、制御するステップを有し、上記制御するステップでは、上記表示装置において上記ユーザの側面の位置に設けられる操作デバイスにおける検出に応じて取得される操作信号に基づいて、上記表示オブジェクトを移動させる少なくとも一部の軌道が、上記表示面に対して垂直方向成分を有する軌道を示すように、上記表示オブジェクトの表示を制御する、表示制御方法が提供される。
【００１１】
また、本開示によれば、ユーザの前方に表示オブジェクトを表示することが可能な表示面が位置するように上記ユーザに装着される表示装置における、上記表示面に表示される表示オブジェクトの表示を、制御するステップを、コンピュータに実行させ、上記制御するステップでは、上記表示装置において上記ユーザの側面の位置に設けられる操作デバイスにおける検出に応じて取得される操作信号に基づいて、上記表示オブジェクトを移動させる少なくとも一部の軌道が、上記表示面に対して垂直方向成分を有する軌道を示すように、上記表示オブジェクトの表示を制御する、プログラムが提供される。
【発明の効果】
【００１２】
本開示によれば、ユーザの操作性の向上を図ることができる。
【図面の簡単な説明】
【００１３】
【図１】本実施形態に係る表示装置の一例を示す説明図である。
【図２】装着したユーザの前方に表示面が位置し、装着したユーザの側面に操作デバイスが設けられる表示装置が用いられる場合において生じうる問題の一例を説明するための説明図である。
【図３】本実施形態に係る表示制御装置における本実施形態に係る表示制御処理の第１の例を説明するための説明図である。
【図４】本実施形態に係る表示制御装置における本実施形態に係る表示制御処理の第１の例を説明するための説明図である。
【図５】本実施形態に係る表示制御装置における本実施形態に係る表示制御処理の第１の例を説明するための説明図である。
【図６Ａ】本実施形態に係る表示制御装置における本実施形態に係る表示制御処理の第１の例を説明するための説明図である。
【図６Ｂ】本実施形態に係る表示制御装置における本実施形態に係る表示制御処理の第１の例を説明するための説明図である。
【図６Ｃ】本実施形態に係る表示制御装置における本実施形態に係る表示制御処理の第１の例を説明するための説明図である。
【図７】本実施形態に係る表示制御装置における本実施形態に係る表示制御処理の第２の例を説明するための説明図である。
【図８Ａ】本実施形態に係る表示制御装置における本実施形態に係る表示制御処理の第２の例を説明するための説明図である。
【図８Ｂ】本実施形態に係る表示制御装置における本実施形態に係る表示制御処理の第２の例を説明するための説明図である。
【図９】本実施形態に係る表示制御装置の構成の一例を示すブロック図である。
【図１０】本実施形態に係る表示制御装置のハードウェア構成の一例を示す説明図である。
【図１１】本実施形態に係る表示システムの一例を示す説明図である。
【図１２】表示システムにおける、本実施形態に係る表示装置の表示面における表示の制御に係る操作が可能な操作デバイスの一例を示す説明図である。
【図１３Ａ】本実施形態に係る表示システムにおける、操作デバイスを用いた操作の一例を示す説明図である。
【図１３Ｂ】本実施形態に係る表示システムにおける、操作デバイスを用いた操作の一例を示す説明図である。
【図１３Ｃ】本実施形態に係る表示システムにおける、操作デバイスを用いた操作の一例を示す説明図である。
【図１３Ｄ】本実施形態に係る表示システムにおける、操作デバイスを用いた操作の一例を示す説明図である。
【図１３Ｅ】本実施形態に係る表示システムにおける、操作デバイスを用いた操作の一例を示す説明図である。
【図１４】本実施形態に係る表示システムにおける表示の一例を説明するための説明図である。
【図１５Ａ】本実施形態に係る表示システムにおける表示の他の例を説明するための説明図である。
【図１５Ｂ】本実施形態に係る表示システムにおける表示の他の例を説明するための説明図である。
【図１５Ｃ】本実施形態に係る表示システムにおける表示の他の例を説明するための説明図である。
【図１５Ｄ】本実施形態に係る表示システムにおける表示の他の例を説明するための説明図である。
【図１５Ｅ】本実施形態に係る表示システムにおける表示の他の例を説明するための説明図である。
【図１５Ｆ】本実施形態に係る表示システムにおける表示の他の例を説明するための説明図である。
【図１５Ｇ】本実施形態に係る表示システムにおける表示の他の例を説明するための説明図である。
【図１５Ｈ】本実施形態に係る表示システムにおける表示の他の例を説明するための説明図である。
【図１６Ａ】本実施形態に係る表示システムにおける表示の他の例を説明するための説明図である。
【図１６Ｂ】本実施形態に係る表示システムにおける表示の他の例を説明するための説明図である。
【図１７Ａ】本実施形態に係る表示システムにおける表示の他の例を説明するための説明図である。
【図１７Ｂ】本実施形態に係る表示システムにおける表示の他の例を説明するための説明図である。
【図１７Ｃ】本実施形態に係る表示システムにおける表示の他の例を説明するための説明図である。
【図１７Ｄ】本実施形態に係る表示システムにおける表示の他の例を説明するための説明図である。
【図１７Ｅ】本実施形態に係る表示システムにおける表示の他の例を説明するための説明図である。
【図１７Ｆ】本実施形態に係る表示システムにおける表示の他の例を説明するための説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、以下では、下記に示す順序で説明を行う。
１．本実施形態に係る表示制御方法
２．本実施形態に係る表示制御装置
３．本実施形態に係るプログラム
４．本実施形態に係る表示システム
【００１６】
（本実施形態に係る表示制御方法）
本実施形態に係る表示制御装置の構成について説明する前に、まず、本実施形態に係る表示制御方法について説明する。以下では、本実施形態に係る表示制御装置が、本実施形態に係る表示制御方法に係る処理を行う場合を例に挙げて、本実施形態に係る表示制御方法について説明する。
【００１７】
［１］本実施形態に係る表示装置の一例
まず、本実施形態に係る表示制御方法に係る処理によって本実施形態に係る表示制御装置により制御される、本実施形態に係る表示装置の構成の一例について説明する。なお、本実施形態に係る表示制御装置と本実施形態に係る表示装置とは、例えば、別体の装置であってもよいし、一体の装置であってもよい。本実施形態に係る表示制御装置と本実施形態に係る表示装置とが一体の装置である場合、本実施形態に係る表示制御装置は、自装置（本実施形態に係る表示制御装置）を制御することとなる。
【００１８】
図１は、本実施形態に係る表示装置の一例を示す説明図である。本実施形態に係る表示装置は、例えば、ユーザの前方に表示面が位置するようにユーザに装着される。ここで、図１に示すＡは、ＨＭＤの一例を示しており、図１に示すＢは、ＨＭＤの他の例を示している。また、図１に示すＣは、ＨＭＤに備えられる操作デバイスの一例を示している。
【００１９】
本実施形態に係る表示装置は、例えば、表示部１０と、操作部１２とを有する。また、本実施形態に係る表示装置は、例えば図１のＡ、図１のＢに示すように、テンプル部材１４や、ブリッジ部材１６、モダン部材１８、パッド部材２０の１または２以上の部材など、様々な部材で構成される。
【００２０】
表示部１０は、例えば、表示オブジェクトを表示することが可能な表示面を有し、ユーザに装着されたときにユーザの前方に表示面が位置するように、ユーザの両目の前の位置に配置される。ここで、図１では、表示部１０が、ユーザの両目それぞれに対応する表示面を有する構成を示しているが、本実施形態に係る表示部の構成は、上記に限られない。例えば、本実施形態に係る表示部は、ユーザの一方の目のみに対応する表示面を有する構成であってもよい。
【００２１】
ここで、本実施形態に係る表示オブジェクトとしては、例えば、アプリケーションなどに対応付けられているアイコンや、静止画像や動画像のサムネイル画像、静止画像や動画像を示すコンテンツ画像、ユーザに通知を行うための画像（静止画像または動画像）などが挙げられる。また、本実施形態に係る表示オブジェクトには、例えば、画面のレイアウトに係る画像（静止画像または動画像）が含まれていてもよい。
【００２２】
操作部１２は、ユーザに装着されたときにおけるユーザの側面の位置に位置するように設けられる。操作部１２が設けられる位置としては、例えば図１のＡ、Ｂに示すように、表示装置を構成するテンプル部材１４上の位置が挙げられる。
【００２３】
また、操作部１２は、例えば図１のＡ、Ｂに示すように、ユーザに装着されたときにおけるユーザの左側面に設けられる。なお、操作部１２が設けられる位置は、ユーザに装着されたときにおけるユーザの左側面に限られない。例えば、操作部１２は、ユーザに装着されたときにおけるユーザの右側面に設けられていてもよく、ユーザに装着されたときにおけるユーザの左側面および右側面の両側面に設けられていてもよい。以下では、操作部１２が、ユーザに装着されたときにおけるユーザの左側面に設けられる場合を主に例に挙げる。
【００２４】
操作部１２は、例えば、１または２以上の操作デバイスを有する。操作部１２が有する操作デバイスとしては、例えば、センサや、ボタンなどが挙げられる。また、本実施形態に係るセンサとしては、例えば、赤外線近接センサや、静電容量方式など各種方式のタッチセンサ、画像センサなどが挙げられる。
【００２５】
操作部１２は、有している操作デバイスによりユーザの操作を検出し、検出結果に応じた操作信号を生成する。
【００２６】
ここで、本実施形態に係る操作デバイスが検出するユーザの操作としては、例えば、“ユーザによる操作デバイスに対する操作入力”が挙げられる。“ユーザによる操作デバイスに対する操作入力”がユーザの操作として操作デバイスにより検出される場合、本実施形態に係る操作信号は、例えば、ユーザが操作デバイスに対して行った操作を示すこととなる。
【００２７】
なお、本実施形態に係る操作デバイスが検出するユーザの操作は、上記に限られない。例えば、本実施形態に係る操作デバイスが、赤外線近接センサや画像センサなど、ユーザが操作デバイスに近接したことを検出可能なデバイスである場合には、本実施形態に係る操作デバイスが検出するユーザの操作は、“ユーザが操作デバイスに近接したこと”であってもよい。“ユーザが操作デバイスに近接したこと”がユーザの操作として操作デバイスにより検出される場合、本実施形態に係る操作信号は、例えば、ユーザが操作デバイスに対して行う操作の前段階（操作が行われる前の準備段階）を示しうる。
【００２８】
図１のＣでは、操作部１２が、ユーザに装着されたときにユーザの前方側に位置する第１センサ２２と、ユーザに装着されたときにユーザの後方側に位置する第２センサ２４との２つのセンサを有する例を示している。
【００２９】
なお、本実施形態に係る操作部が備えるセンサは、図１のＣに示す例に限られない。例えば、本実施形態に係る操作部は、第１センサ２２と第２センサ２４とが一体となっているセンサを有していてもよい。
【００３０】
本実施形態に係る表示装置は、例えば図１のＡ、Ｂに示すように、ユーザに装着された場合において、ユーザの前方に表示面が位置し、また、ユーザの側面に操作デバイスが位置する構成を有する。
【００３１】
なお、本実施形態に係る表示装置の外観が、図１のＡ、Ｂに示す外観に限られないことは、言うまでもない。
【００３２】
また、本実施形態に係る表示装置の構成は、図１のＡ、Ｂに示す構成に限られない。
【００３３】
例えば、本実施形態に係る表示装置は、ユーザに装着されたときにおけるユーザの側面の位置に、外部操作デバイスが接続される構成であってもよい。また、ユーザに装着されたときにおけるユーザの側面の位置に、外部操作デバイスが接続される場合には、本実施形態に係る表示装置は、操作部１２を備えない構成をとることも可能である。つまり、“本実施形態に係る表示装置におけるユーザの側面の位置に設けられる操作デバイス”とは、本実施形態に係る表示装置が備える操作部を構成する操作デバイス、および／または、本実施形態に係る表示装置において、本実施形態に係る表示装置を装着したユーザの側面の位置に接続された外部操作デバイスをいう。なお、“本実施形態に係る表示装置におけるユーザの側面の位置に設けられる操作デバイス”に対するユーザの操作の一例については、後述する「［Ｉ］表示システム１０００における操作の一例」において説明する。
【００３４】
また、本実施形態に係る表示装置は、ＭＰＵ（Micro  Processing  Unit）や各種処理回路などで構成され、表示装置全体を制御する制御部（図示せず）を備えていてもよい。また、本実施形態に係る表示装置と本実施形態に係る表示制御装置とが一体の装置である場合には、制御部（図示せず）は、例えば、後述する本実施形態に係る表示制御方法に係る処理を行う役目を果たす。
【００３５】
また、本実施形態に係る表示装置は、本実施形態に係る表示制御装置などの外部装置と無線／有線で通信を行うための通信部（図示せず）を備えていてもよい。通信部（図示せず）としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。なお、本実施形態に係る表示装置は、例えば、接続されている外部通信デバイスを介して本実施形態に係る表示制御装置などの外部装置と通信を行う構成であってもよい。
【００３６】
また、本実施形態に係る表示装置は、例えば、各デバイスに電力を供給するバッテリ（図示せず）を備えていてもよい。ここで、本実施形態に係る表示装置が備えるバッテリ（図示せず）としては、例えば、リチウムイオン電池などの二次電池などが挙げられる。なお、本実施形態に係る表示装置が、商用電源などの外部電源から電力を得て駆動する場合には、本実施形態に係る表示装置は、バッテリ（図示せず）を備えていなくてもよい。
【００３７】
また、本実施形態に係る表示装置は、図１のＡ、Ｂに示すようなＨＭＤに限られない。例えば、本実施形態に係る表示装置は、片眼鏡（モノクル）型の装置であってもよい。本実施形態に係る表示装置は、例えば、ユーザに装着された場合において、ユーザの前方に表示面が位置し、また、ユーザの側面に操作デバイスが位置する構成を有する、任意の形状の装置に適用することが可能である。
【００３８】
以下では、本実施形態に係る表示装置が、図１のＡに示すＨＭＤである場合を例に挙げて、本実施形態に係る表示制御装置における本実施形態に係る表示制御方法に係る処理について説明する。
【００３９】
［２］本実施形態に係る表示制御方法に係る処理
上述したように、例えば図１のＡに示すＨＭＤのように“装着したユーザの前方に表示面が位置し、装着したユーザの側面に操作デバイスが設けられる表示装置”では、ユーザは当該操作デバイスを視覚で認識した上で操作を行うことは困難である。そのため、上記のような表示装置では、例えば、自己が行った操作の結果生じる表示面の表示内容の変化が所望の変化とならないなど、ユーザの操作性の低下が生じる恐れがある。
【００４０】
図２は、装着したユーザの前方に表示面が位置し、装着したユーザの側面に操作デバイスが設けられる表示装置が用いられる場合において生じうる問題の一例を説明するための説明図である。
【００４１】
ここで、図２は、ユーザが、表示装置の操作部１２を操作することによって、表示面に表示された表示オブジェクトが表示軸Ａ（後述する軌道に相当する。）上で移動する例を示している。つまり、図２に示す例では、表示オブジェクトが表示軸Ａ上を移動することによって、表示オブジェクトは、表示面と平行に移動することとなる。なお、ユーザの上記操作による表示面の表示内容の変化は、上記に限られない。例えば、図２は、ユーザが、表示装置の操作部１２を操作することによって、表示面に表示された表示オブジェクトを選択するためのカーソル（または、フォーカス枠。以下、同様とする。）が、表示軸Ａ（後述する軌道に相当する。）上を移動する例を示していてもよい。また、図２では、ユーザによる操作部１２の操作が、操作軸Ａに対応する操作である例を示している。
【００４２】
ここで、本実施形態に係る操作軸とは、表示装置（装着したユーザの前方に表示面が位置し、装着したユーザの側面に操作デバイスが設けられる表示装置）を装着したユーザが、ユーザの側面の位置に設けられる操作デバイスを操作する場合に、操作に用いる媒体（例えば、ユーザの手や指など）を移動させることが想定される方向に対応する仮想的な軸である。
【００４３】
本実施形態に係る操作デバイスが、図１のＣに示すような複数のセンサを備える場合には、本実施形態に係る操作軸としては、例えば、ユーザが操作に用いる媒体を複数のセンサ間で移動させる方向（例えば、各センサの中心位置を通る直線に対応する方向）が挙げられる。また、本実施形態に係る操作デバイスが、静電容量方式など各種方式のタッチセンサである場合には、本実施形態に係る操作軸としては、例えば、本実施形態に係る操作デバイスがユーザのスライド操作を検出可能な方向が挙げられる。また、本実施形態に係る操作デバイスが、例えば、十字キーなど、少なくとも水平方向に対する入力が可能なボタン（または、複数のボタンで構成されるボタン群）である場合には、本実施形態に係る操作軸としては、例えば、当該ボタンにおける水平方向が挙げられる。なお、本実施形態に係る操作軸の例が、上記に限られないことは、言うまでもない。
【００４４】
例えば図２に示すように、操作軸Ａと表示軸Ａとが直交する場合（または、直角に近い角度で交差する場合。以下、同様とする。）、ユーザは、操作部１２に対して行う操作の方向と、表示面に表示されている表示オブジェクトが移動する方向とを、容易に対応付けることができない。例えば、ユーザは、図２に示すａの方向に操作を行った場合に、表示オブジェクトが図２に示すｃの方向に移動するのか、または、表示オブジェクトが図２に示すｄの方向に移動するのかを判断することが困難である。
【００４５】
よって、例えば図２に示すように、操作軸Ａと表示軸Ａとが直交する場合には、ユーザが意図する方向に表示オブジェクトが移動しないことなどによって、ユーザの操作性が低下する恐れがある。
【００４６】
また、上述したように、例えば特許文献１に記載の技術のようにガイド表示画像を表示面に表示させたとしても、ユーザの操作性の低下が生じうることから、例えば特許文献１に記載の技術を用いたとしても、ユーザの操作性の向上を図ることができるとは限らない。
【００４７】
そこで、本実施形態に係る表示制御装置は、例えば、図１のＡ、Ｂに示すような、本実施形態に係る表示装置（ユーザの前方に表示オブジェクトを表示することが可能な表示面が位置するようにユーザに装着され、装着されたユーザの側面の位置に操作デバイスが設けられる表示装置）における表示面に表示される表示オブジェクトの表示を、制御する（表示制御処理）。本実施形態に係る表示制御装置は、例えば、本実施形態に係る表示装置において装着されたユーザの側面の位置に設けられる操作デバイスにおける検出に応じて取得される操作信号に基づいて、表示オブジェクトを移動させる少なくとも一部の軌道が、表示面に対して垂直方向成分を有する軌道を示すように、表示オブジェクトの表示を制御する。
【００４８】
より具体的には、本実施形態に係る表示制御装置は、操作信号の取得状態に基づいて、選択的に、表示オブジェクトを移動させる少なくとも一部の軌道が、表示面に対して垂直方向成分を有する軌道を示すように、表示オブジェクトの表示を制御する。本実施形態に係る表示制御装置における、選択的な表示オブジェクトの表示に係る処理の一例については、後述する。
【００４９】
ここで、本実施形態に係る装着されたユーザの側面の位置に設けられる操作デバイスとしては、例えば図１に示すような、操作部１２が有する１または２以上の操作デバイスが挙げられる。なお、本実施形態に係る装着されたユーザの側面の位置に設けられる操作デバイスは、操作部１２が有する１または２以上の操作デバイスに限られない。例えば、本実施形態に係る装着されたユーザの側面の位置に設けられる操作デバイスは、本実施形態に係る表示装置において、本実施形態に係る表示装置をユーザが装着したときに当該ユーザの側面の位置に接続されている、１または２以上の外部操作デバイスであってもよい。
【００５０】
以下では、本実施形態に係る表示制御装置が取得する“装着されたユーザの側面の位置に設けられる操作デバイスにおける検出に応じた操作信号”が、図１に示す操作部１２における検出に応じて取得される操作信号である場合を例に挙げる。ここで、例えば、本実施形態に係る表示制御装置と本実施形態に係る表示装置とが一体の装置である場合には、本実施形態に係る表示制御装置は、備えている操作部１２から伝達される操作信号に基づいて処理を行う。また、本実施形態に係る表示制御装置と本実施形態に係る表示装置とが別体の装置である場合には、本実施形態に係る表示制御装置は、例えば、備えている通信部（後述する）や接続されている外部通信デバイスが受信した、本実施形態に係る表示装置の操作部１２における検出に応じた操作信号に基づいて処理を行う。
【００５１】
また、本実施形態に係る軌道とは、例えば図２に示す表示軸Ａのように、表示オブジェクトが移動する経路や、表示オブジェクトを選択する位置が移動する経路である。本実施形態に係る軌道としては、例えば、表示面においてユーザに知覚されない仮想的な経路が挙げられる。なお、本実施形態に係る軌道は、ユーザに知覚されない仮想的な経路に限られない。例えば、本実施形態に係る軌道は、表示面に表示されることによって、ユーザに視覚的に認識されてもよい。以下では、本実施形態に係る軌道を「表示軸」と示す場合がある。
【００５２】
上記のように、本実施形態に係る軌道は、例えば図２の表示軸Ａに示すような「表示軸」に相当する。ここで、図２を例に挙げると、少なくとも一部の本実施形態に係る軌道が、表示面に対して垂直方向成分を有する軌道を示す場合には、垂直方向成分を有する本実施形態に係る軌道は、操作軸Ａに対して平行成分を有することとなる。
【００５３】
よって、本実施形態に係る表示制御処理における“表示オブジェクトを移動させる少なくとも一部の軌道が、表示面に対して垂直方向成分を有する軌道を示すように、表示オブジェクトの表示を制御すること”は、例えば、“表示オブジェクトを移動させる少なくとも一部の軌道が、本実施形態に係る操作軸に対して平行方向成分を有する軌道を示すように、表示オブジェクトの表示を制御すること”に相当する。
【００５４】
また、本実施形態に係る表示制御装置は、例えば、操作部１２における検出に応じて取得される操作信号が取得された場合には、本実施形態に係る軌道に沿って、操作信号が示す操作方向に対応する方向にスクロールさせることによって、表示オブジェクトを移動させる。
【００５５】
なお、本実施形態に係る表示オブジェクトの移動方法は、上記に限られない。例えば、本実施形態に係る表示制御装置は、本実施形態に係る軌道上において、表示オブジェクトを表示させる位置を、操作信号が示す操作方向に対応する方向に離散的に変えることによって、表示オブジェクトを移動させてもよい。
【００５６】
また、本実施形態に係る表示制御装置と本実施形態に係る表示装置とが、別体の装置である場合には、本実施形態に係る表示制御装置は、例えば、備えている通信部（後述する）または接続されている外部通信デバイスに、表示部１０の表示面における表示を制御する表示制御信号を、本実施形態に係る表示装置に対して送信させることによって、本実施形態に係る表示装置における表示オブジェクトの表示を制御する。また、本実施形態に係る表示制御装置と本実施形態に係る表示装置とが、一体の装置である場合には、本実施形態に係る表示制御装置は、備えている表示部１０に表示制御信号を伝達することによって、本実施形態に係る表示装置における表示オブジェクトの表示を制御する。
【００５７】
ここで、本実施形態に係る表示制御信号としては、例えば、表示オブジェクトの表示タイミングなどを制御する制御に係る信号が挙げられる。また、本実施形態に係る表示制御信号には、例えば、表示面に表示させる表示オブジェクトを示すデータやレイアウトを示すデータなどの表示内容に係るデータを示す信号が含まれていてもよい。
【００５８】
なお、本実施形態に係る表示制御装置が表示オブジェクトの表示を制御する制御対象は、本実施形態に係る表示装置に限られない。例えば、本実施形態に係る表示制御装置は、例えば、スマートフォンなどの通信装置や、ＰＣ（Personal  Computer）などのコンピュータなど、本実施形態に係る表示装置以外の装置を制御対象とすることも可能である。
【００５９】
以下、本実施形態に係る表示制御処理について、より具体的に説明する。以下では、操作部１２などの本実施形態に係る表示装置におけるユーザの側面の位置に設けられる操作デバイスが、ユーザに装着されたときにおけるユーザの左側面に設けられる場合を主に例に挙げて、本実施形態に係る表示制御処理について説明する。
【００６０】
本実施形態に係る表示制御装置は、例えば、操作部１２における検出に応じて取得される操作信号が取得された場合には、“表示面に表示させる表示オブジェクトのうちの少なくとも一部の表示オブジェクトを、表示面に対して垂直方向成分を有するように表示させること”によって、表示オブジェクトを移動させる少なくとも一部の軌道が、表示面に対して垂直方向成分を有する軌道を示すように、表示オブジェクトの表示を制御する。
【００６１】
ここで、本実施形態に係る操作信号は、上述したように、例えば、ユーザが操作デバイスに対して行った操作や、ユーザが操作デバイスに対して行う操作の前段階（操作が行われる前の準備段階）を示しうる。つまり、本実施形態に係る表示制御装置は、例えば、ユーザが操作デバイスに対して操作を行った場合、または、ユーザが操作デバイスに対して操作を行おうとしている場合に、“表示オブジェクトを移動させる少なくとも一部の軌道が、表示面に対して垂直方向成分を有する軌道を示すように、表示オブジェクトの表示を制御すること”が可能である。
【００６２】
（ｉ）本実施形態に係る表示制御処理の第１の例
図３は、本実施形態に係る表示制御装置における本実施形態に係る表示制御処理の第１の例を説明するための説明図である。ここで、図３は、少なくとも一部の表示オブジェクトを、表示面に対して垂直方向成分を有するように表示させる表示の第１の例を示している。また、図３は、図２と同様に、ユーザが、表示装置の操作部１２を操作することによって、表示面に表示された表示オブジェクトが表示軸（本実施形態に係る軌道に相当する。）上で移動する例を示している。
【００６３】
例えば図２を参照して説明したように、例えば図３の表示軸Ａのように操作軸Ａと表示軸とが直交する場合には、ユーザの操作性が低下する恐れがある。そこで、本実施形態に係る表示制御装置は、例えば図３の表示軸Ｂに沿って表示される表示オブジェクトのように、表示面に表示させる表示オブジェクトの全体を、表示面に対して垂直方向成分を有するように表示させる。
【００６４】
例えば図３の表示軸Ｂに沿って表示される表示オブジェクトのように、表示面に表示させる表示オブジェクトの全体を、表示面に対して垂直方向成分を有するように表示させることによって、操作軸Ａおよび表示軸Ｂは、操作軸Ａおよび表示軸Ａよりも、より平行に近づく。よって、表示面に表示されている表示オブジェクトをみるユーザは、例えば、図３に示す操作方向ａが図３に示す移動方向ｆに対応し、また、図３に示す操作方向ｂが図３に示す移動方向ｅに対応することを、より直感的に認識することが可能である。また、上記のように、操作方向と移動方向とをより直感的に認識することが可能となることによって、例えば、ユーザ行った操作の結果生じる表示面の表示内容の変化がユーザが所望する変化とならないことは、防止される。
【００６５】
したがって、例えば、本実施形態に係る表示制御装置が、表示面に表示させる表示オブジェクトの全体を、表示面に対して垂直方向成分を有するように表示させることによって、本実施形態に係る表示制御装置は、ユーザの操作性の向上を図ることができる。
【００６６】
図４、図５は、本実施形態に係る表示制御装置における本実施形態に係る表示制御処理の第１の例を説明するための説明図である。ここで、図４に示すＡは、表示軸が、図３に示す表示軸Ａである場合おける表示面に表示される表示オブジェクトの見え方の一例を示している。また、図４に示すＢは、表示軸が、図３に示す表示軸Ｂである場合おける表示面に表示される表示オブジェクトの見え方の一例を示している。また、図５は、図４のＢに示す見え方における、ユーザの操作に応じた操作信号に対応する表示内容の変化の一例を示している。
【００６７】
表示軸が図３に示す表示軸Ａである場合には、表示軸全体が表示面に対して垂直方向成分を有さないので、表示面に表示される表示オブジェクトは、例えば図４のＡに示すように、遠近法を利用した描画がされない。よって、例えば、ユーザが、操作部１２に対して図３に示す操作方向ｂに操作を行った場合、ユーザは、図４のＡに示す表示オブジェクトがどのように移動するのかを推測することは、困難である。
【００６８】
これに対して、表示軸が図３に示す表示軸Ｂである場合には、表示軸全体が表示面に対して垂直方向成分を有するので、表示面に表示される表示オブジェクトは、例えば図４のＢに示すように、遠近法を利用した描画がされる。よって、例えば、ユーザが、操作部１２に対して図３に示す操作方向ｂに操作を行った場合、ユーザは、表示オブジェクトが図３に示すｅの方向に移動すること、すなわち、表示オブジェクトが図５のＡに示す状態から図５のＢに示す状態へと変化することを、より容易に推測することができる。
【００６９】
なお、例えば図３の表示軸Ｂのように、表示軸全体が表示面に対して垂直方向成分を有する場合における、ユーザの操作に応じた操作信号に対応する表示内容の変化は、図５に示す例に限られない。
【００７０】
図６Ａ〜図６Ｃは、本実施形態に係る表示制御装置における本実施形態に係る表示制御処理の第１の例を説明するための説明図である。ここで、図６Ａ〜図６Ｃそれぞれは、図４のＢに示す見え方における、ユーザの操作に応じた表示内容の変化の他の例を示している。
【００７１】
例えば図６ＡのＡ、Ｂに示すように、本実施形態に係る表示制御装置は、ユーザの操作に応じた操作信号に対応する表示軸の方向に、選択されている表示オブジェクトを示すカーソルＣを移動させてもよい。
【００７２】
また、本実施形態に係る表示制御装置は、例えば、選択されている表示オブジェクトの表現（図６Ｂに示すＳ）と、選択されていない表示オブジェクトの表現とを変える。そして、本実施形態に係る表示制御装置は、例えば図６ＢのＡ、Ｂに示すように、ユーザの操作に応じた操作信号に対応する表示軸の方向に、表示オブジェクトの表現を変えてもよい。
【００７３】
また、本実施形態に係る表示制御装置は、例えば図６ＣのＡ、Ｂに示すように、例えば全ての表示オブジェクトが図６Ｂに示すＳと同様の表現がされている状態において、図５と同様に、ユーザの操作に応じた操作信号に対応する表示軸の方向に、表示オブジェクトを移動させてもよい。
【００７４】
なお、ユーザの操作に応じた操作信号に対応する表示内容の変化は、図５、および図６Ａ〜図６Ｃに限られない。例えば、本実施形態に係る表示制御装置は、表示面に表示される表示オブジェクトそれぞれを、ユーザの右目に対応する右目画像とユーザの左目に対応する左目画像とで構成される３次元画像で表示し、各表示オブジェクトの輻輳を変えてもよい。
【００７５】
（ｉｉ）本実施形態に係る表示制御処理の第２の例
図７は、本実施形態に係る表示制御装置における本実施形態に係る表示制御処理の第２の例を説明するための説明図である。ここで、図７は、少なくとも一部の表示オブジェクトを、表示面に対して垂直方向成分を有するように表示させる表示の第２の例を示している。図７に示すＡは、図２と同様に、ユーザが、表示装置の操作部１２を操作軸Ａ操作することによって、表示面に表示された表示オブジェクトが表示軸（本実施形態に係る軌道に相当する。）上で移動する例を示している。図７のＡに示す表示軸Ｃは、表示軸の一部が曲線である表示軸の一例を示している。また、図７に示すＢは、表示軸が、図７に示す表示軸Ｃである場合おける表示面に表示される表示オブジェクトの見え方の一例を示している。
【００７６】
例えば図２を参照して説明したように、例えば図７の表示軸Ａのように操作軸Ａと表示軸とが直交する場合には、ユーザの操作性が低下する恐れがある。そこで、本実施形態に係る表示制御装置は、例えば図７のＢのＰ１に示すように、表示面に表示させる表示オブジェクトのうちの一の部分を、表示面に対して垂直方向成分を有さないように表示させる。また、本実施形態に係る表示制御装置は、例えば図７のＢのＰ２に示すように、表示面に表示させる表示オブジェクトのうちの他の部分を、表示面に対して垂直方向成分を有するように表示させる。
【００７７】
例えば図７のＡに示す表示軸Ｃのように、表示軸（本実施形態に係る軌道に相当する。）の一部を曲線とすることによって、図７のＢに示す表示面に表示されている表示オブジェクトをみるユーザは、例えば、図７に示す操作方向ａが図３に示す移動方向ｈに対応し、また、図７に示す操作方向ｂが図７に示す移動方向ｇに対応することを、より直感的に認識することが可能である。また、上記のように、操作方向と移動方向とをより直感的に認識することが可能となることによって、例えば、ユーザ行った操作の結果生じる表示面の表示内容の変化がユーザが所望する変化とならないことは、防止される。
【００７８】
したがって、例えば、本実施形態に係る表示制御装置が、“表示面に表示させる表示オブジェクトのうちの一の部分を、表示面に対して垂直方向成分を有さないように表示させ、表示面に表示させる表示オブジェクトのうちの他の部分を、表示面に対して垂直方向成分を有するように表示させること”によって、本実施形態に係る表示制御装置は、ユーザの操作性の向上を図ることができる。
【００７９】
なお、本実施形態に係る表示制御処理の第２の例に係る表示軸は、図７のＣに示す表示軸Ｃのように、一部が曲線の表示軸に限られない。例えば、本実施形態に係る表示制御処理の第２の例に係る表示軸は、表示軸の一部が折れ曲がった表示軸（例えば、表示軸の一部が表示面に対して垂直方向成分を有さず、表示軸の他の部分が表示面に対して垂直方向成分を有する表示軸）であってもよい。
【００８０】
表示軸の一部が折れ曲がった表示軸であっても、ユーザは、表示軸が図７のＡに示す表示軸Ｃである場合と同様に、“表示面に表示させる表示オブジェクトのうちの一の部分を、表示面に対して垂直方向成分を有さないように表示させ、表示面に表示させる表示オブジェクトのうちの他の部分を、表示面に対して垂直方向成分を有するように表示させること”が実現される。したがって、例えば、表示軸の一部が折れ曲がった表示軸であっても、ユーザは、表示軸が図７のＡに示す表示軸Ｃである場合と同様に、操作方向と移動方向とをより直感的に認識することができる。
【００８１】
図８Ａ、図８Ｂは、本実施形態に係る表示制御装置における本実施形態に係る表示制御処理の第２の例を説明するための説明図である。ここで、図８Ａ、図８Ｂそれぞれは、図７のＢに示す見え方における、ユーザの操作に応じた表示内容の変化の一例を示している。
【００８２】
例えば図８ＡのＡ、Ｂに示すように、本実施形態に係る表示制御装置は、選択されている表示オブジェクトを示すカーソルＣの位置を固定した状態で、ユーザの操作に応じた操作信号に対応する表示軸の方向に、表示オブジェクトを移動させてもよい。
【００８３】
また、例えば図８ＢのＡ、Ｂに示すように、本実施形態に係る表示制御装置は、ユーザの操作に応じた操作信号に対応する表示軸の方向に、選択されている表示オブジェクトを示すカーソルＣを移動させてもよい。
【００８４】
なお、ユーザの操作に応じた操作信号に対応する表示内容の変化は、図８Ａ、図８Ｂに限られない。例えば、本実施形態に係る表示制御装置は、表示面に表示される表示オブジェクトそれぞれを、ユーザの右目に対応する右目画像とユーザの左目に対応する左目画像とで構成される３次元画像で表示し、各表示オブジェクトの輻輳を変えてもよい。
【００８５】
（ｉｉｉ）本実施形態に係る表示制御処理の第３の例
なお、本実施形態に係る表示制御装置における本実施形態に係る表示制御処理の例は、上記第１の例、および上記第２の例に限られない。
【００８６】
例えば、本実施形態に係る表示装置におけるユーザの側面の位置に設けられる操作デバイスが、ユーザに装着されたときにおけるユーザの右側面に設けられる場合には、本実施形態に係る表示制御装置は、取得された操作信号に基づいて、本実施形態に係る軌道が、例えば図３、図７とは逆側（本実施形態に係る表示装置を装着したユーザからみて右側）に変化するように、表示オブジェクトの表示を制御する。ここで、本実施形態に係る表示制御装置は、例えば、上記第１の例および上記第２の例と同様の処理を行う。
【００８７】
また、例えば、本実施形態に係る表示装置におけるユーザの側面の位置に設けられる操作デバイスが、ユーザに装着されたときにおけるユーザの左側面および右側面の両側面に設けられる場合には、本実施形態に係る表示制御装置は、取得された操作信号に基づいて、本実施形態に係る軌道が、操作信号が取得された操作デバイスに対応する側に変化するように、表示オブジェクトの表示を制御する。例えば、ユーザに装着されたときにおけるユーザの左側面に設けられる操作デバイスに対応する操作信号が取得された場合には、本実施形態に係る表示制御装置は、取得された操作信号に基づいて、本実施形態に係る軌道が、例えば図３、図７に示す側（本実施形態に係る表示装置を装着したユーザからみて左側）に変化するように、表示オブジェクトの表示を制御する。また、例えば、ユーザに装着されたときにおけるユーザの右側面に設けられる操作デバイスに対応する操作信号が取得された場合には、本実施形態に係る表示制御装置は、取得された操作信号に基づいて、本実施形態に係る軌道が、例えば図３、図７とは逆側（本実施形態に係る表示装置を装着したユーザからみて右側）に変化するように、表示オブジェクトの表示を制御する。
【００８８】
本実施形態に係る表示制御装置は、操作部１２における検出に応じて取得される操作信号が取得された場合には、例えば、上記（ｉ）に示す第１の例に係る処理や、上記（ｉｉ）に示す第２の例に係る処理、上記（ｉｉｉ）に示す第３の例に係る処理を行うことによって、表示面に表示させる表示オブジェクトのうちの少なくとも一部の表示オブジェクトを、表示面に対して垂直方向成分を有するように表示させる。
【００８９】
なお、本実施形態に係る表示制御装置における本実施形態に係る表示制御処理は、“表示面に表示させる表示オブジェクトのうちの少なくとも一部の表示オブジェクトを、表示面に対して垂直方向成分を有するように表示させる処理”に限られない。
【００９０】
例えば、本実施形態に係る表示制御装置は、操作部１２における検出に応じて取得される操作信号が取得されていない場合には、表示オブジェクトを移動させる軌道全体が、表示面に対して垂直方向成分を有さない軌道を示すように、表示オブジェクトの表示を制御する。つまり、本実施形態に係る表示制御装置は、例えば、操作部１２における検出に応じて取得される操作信号が取得された場合に、表示オブジェクトを移動させる軌道全体が、表示面に対して垂直方向成分を有する軌道を示すように、表示オブジェクトの表示を制御する。本実施形態に係る表示制御装置は、例えば、図２に示す表示軸Ａのように、表示面に対して平行な軌道を示すように表示オブジェクトの表示を制御することによって、表示面に表示させる表示オブジェクトの全体を、表示面に対して垂直方向成分を有さないように表示させる。
【００９１】
また、本実施形態に係る表示制御装置は、例えば図３や図７に示すように、表示オブジェクトを移動させる少なくとも一部の軌道が、表示面に対して垂直方向成分を有する軌道を示すように、表示オブジェクトの表示を制御した後、設定されている所定の時間、操作信号が取得されない場合には、表示オブジェクトの表示を制御前の状態に戻してもよい。ここで、上記所定の時間は、例えば、予め設定されている固定の時間であってもよいし、ユーザが設定することが可能な可変の時間であってもよい。
【００９２】
例えば、本実施形態に係る表示制御装置が、本実施形態に係る軌道を、図３に示す表示軸Ａに相当する軌道から図３に示す表示軸Ｂに相当する軌道へと変わるように、表示オブジェクトの表示を制御した場合には、本実施形態に係る表示制御装置は、本実施形態に係る軌道を、図３に示す表示軸Ｂに相当する軌道から図３に示す表示軸Ａに相当する軌道に戻すように、表示オブジェクトの表示を制御する。また、例えば、本実施形態に係る表示制御装置が、本実施形態に係る軌道を、図７に示す表示軸Ａに相当する軌道から図７に示す表示軸Ｃに相当する軌道へと変わるように、表示オブジェクトの表示を制御した場合には、本実施形態に係る表示制御装置は、本実施形態に係る軌道を、図７に示す表示軸Ｃに相当する軌道から図７に示す表示軸Ａに相当する軌道に戻すように、表示オブジェクトの表示を制御する。
【００９３】
本実施形態に係る表示制御装置は、例えば上記のように、操作部１２における検出に応じて取得される操作信号の取得状況に基づいて、選択的に、表示オブジェクトを移動させる少なくとも一部の軌道が、表示面に対して垂直方向成分を有する軌道を示すように、表示オブジェクトの表示を制御する。
【００９４】
本実施形態に係る表示制御装置は、本実施形態に係る表示制御処理において、例えば上記のように“表示装置においてユーザの側面の位置に設けられる操作デバイスにおける検出に応じて取得される操作信号”の取得状態に基づいて、表示オブジェクトの表示を制御する。
【００９５】
なお、本実施形態に係る表示制御装置が処理する操作信号は、例えば操作部１２における検出に応じて取得される操作信号のような“表示装置においてユーザの側面の位置に設けられる操作デバイスにおける検出に応じて取得される操作信号”に限られない。例えば、本実施形態に係る表示制御装置は、表示装置においてユーザの側面の位置に設けられる操作デバイス（または、当該位置に接続される外部操作デバイス。以下、同様とする。）以外の操作デバイスにおける検出に応じた操作信号を処理することも可能である。
【００９６】
ここで、本実施形態に係る“表示装置においてユーザの側面の位置に設けられる操作デバイス以外の操作デバイス”としては、例えば、ユーザの腕などユーザの体に装着して用いられるウェアラブル型の操作デバイスや、リモート・コントローラなどの外部操作デバイス、スマートフォンなどのユーザが操作可能な通信装置などが挙げられる。本実施形態に係る“表示装置においてユーザの側面の位置に設けられる操作デバイス以外の操作デバイス”の具体例については、後述する本実施形態に係る表示システムにおいて説明する。また、本実施形態に係る“表示装置においてユーザの側面の位置に設けられる操作デバイス以外の操作デバイス”に対するユーザの操作の例については、後述する「［Ｉ］表示システム１０００における操作の一例」において説明する。
【００９７】
本実施形態に係る“表示装置においてユーザの側面の位置に設けられる操作デバイス以外の操作デバイス”における検出に応じた操作信号が取得された場合には、本実施形態に係る表示制御装置は、例えば、表示オブジェクトを移動させる少なくとも一部の軌道が、表示面に対して垂直方向成分を有する軌道を示すように、表示オブジェクトを表示させない。上記の場合、本実施形態に係る表示制御装置は、例えば、図２に示す表示軸Ａのように、表示面に対して平行な軌道を示すように表示オブジェクトの表示を制御することによって、表示面に表示させる表示オブジェクトの全体を、表示面に対して垂直方向成分を有さないように表示させる。
【００９８】
ここで、本実施形態に係る表示制御装置は、例えば、操作信号に含まれる操作デバイスを示す識別情報（例えば、ＩＤを示すデータ）に基づいて、取得された操作信号に対応する操作デバイスを識別する。なお、取得された操作信号に対応する操作デバイスの識別方法は、上記に限られない。例えば、本実施形態に係る表示制御装置は、操作信号の取得経路（例えば、備えている操作部１２から伝達された操作信号か、通信部（後述する）が受信した操作信号か、など）によって、取得された操作信号に対応する操作デバイスを識別してもよい。
【００９９】
例えば上記のように、本実施形態に係る表示制御装置は、操作信号に対応する操作デバイスに応じて、表示面に表示させる表示オブジェクトの表示の仕方や、表示オブジェクトの移動の仕方などを変えることも可能である。
【０１００】
（本実施形態に係る表示制御装置）
次に、上述した本実施形態に係る表示制御方法に係る処理を行うことが可能な、本実施形態に係る表示制御装置の構成の一例について、説明する。
【０１０１】
図９は、本実施形態に係る表示制御装置１００の構成の一例を示すブロック図である。表示制御装置１００は、例えば、通信部１０２と、制御部１０４とを備える。
【０１０２】
また、表示制御装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。表示制御装置１００は、例えば、データの伝送路としてのバス（bus）により上記各構成要素間を接続する。
【０１０３】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１０４】
記憶部（図示せず）は、表示制御装置１００が備える記憶手段であり、例えば、表示オブジェクトを示すデータや、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、表示制御装置１００から着脱可能であってもよい。
【０１０５】
［表示制御装置１００のハードウェア構成例］
図１０は、本実施形態に係る表示制御装置１００のハードウェア構成の一例を示す説明図である。表示制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、表示制御装置１００は、例えば、データの伝送路としてのバス１６６で各構成要素間を接続する。
【０１０６】
ＭＰＵ１５０は、例えば、ＭＰＵや各種処理回路などで構成され、表示制御装置１００全体を制御する制御部１０４として機能する。また、ＭＰＵ１５０は、表示制御装置１００において、例えば、後述する表示制御部１１０の役目を果たす。
【０１０７】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１０８】
記録媒体１５６は、記憶部（図示せず）として機能し、例えば、表示オブジェクトを示すデータや、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、表示制御装置１００から着脱可能であってもよい。
【０１０９】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、表示制御装置１００上に備えられ、表示制御装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、表示制御装置１００上に備えられ、表示制御装置１００の内部で入出力インタフェース１５８と接続される。表示デバイス１６２としては、例えば、液晶ディスプレイ（Liquid  Crystal  Display；ＬＣＤ）や有機ＥＬディスプレイ（Organic  Electro-Luminescence  display。または、ＯＬＥＤディスプレイ（Organic  Light  Emitting  Diode  display）ともよばれる。）などが挙げられる。
【０１１０】
なお、入出力インタフェース１５８が、表示制御装置１００の外部装置としての操作入力デバイス（例えば、キーボードやマウスなど）や、表示デバイスなどの、外部デバイスと接続することもできることは、言うまでもない。また、表示デバイス１６２は、例えばタッチスクリーンなど、表示とユーザ操作とが可能なデバイスであってもよい。
【０１１１】
通信インタフェース１６４は、表示制御装置１００が備える通信手段であり、ネットワークを介して（あるいは、直接的に）、本実施形態に係る表示装置などの外部装置と無線／有線で通信を行うための通信部１０２として機能する。ここで、通信インタフェース１６４としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１１２】
表示制御装置１００は、例えば図１０に示す構成によって、本実施形態に係る表示制御方法に係る処理を行う。なお、本実施形態に係る表示制御装置１００のハードウェア構成は、図１０に示す構成に限られない。
【０１１３】
例えば、表示制御装置１００は、通信方式が異なる、または、通信方式が同一の、複数の通信インタフェースを備えていてもよい。
【０１１４】
また、例えば、入出力インタフェース１５８などを介して接続される外部通信デバイスを介して、本実施形態に係る表示装置などの外部装置と通信を行う場合には、表示制御装置１００は、通信インタフェース１６４を備えていなくてもよい。
【０１１５】
また、表示制御装置１００は、例えば、スタンドアロンで処理を行う構成である場合（例えば、表示制御装置１００と本実施形態に係る表示装置とが一体の装置である場合）には、通信デバイス１６４を備えていなくてもよい。
【０１１６】
また、表示制御装置１００は、操作デバイス１６０や表示デバイス１６２を備えない構成をとることも可能である。
【０１１７】
再度図９を参照して、表示制御装置１００の構成の一例について説明する。通信部１０２は、表示制御装置１００が備える通信手段であり、ネットワークを介して（あるいは、直接的に）、本実施形態に係る表示装置などの外部装置と無線／有線で通信を行う。また、通信部１０２は、例えば制御部１０４により通信が制御される。
【０１１８】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など、通信を行うことが可能な任意の規格に対応する構成や、ネットワークを介して外部装置と通信可能な任意の構成をとることができる。
【０１１９】
制御部１０４は、例えばＭＰＵなどで構成され、表示制御装置１００全体を制御する役目を果たす。また、制御部１０４は、例えば、表示制御部１１０を備え、本実施形態に係る表示制御方法に係る処理を主導的に行う役目を果たす。
【０１２０】
表示制御部１１０は、本実施形態に係る表示制御方法に係る処理を主導的に行う役目を果たし、本実施形態に係る表示装置（ユーザの前方に表示面が位置するようにユーザに装着され、装着されたユーザの側面の位置に操作デバイスが設けられる表示装置）における、表示面に表示される表示オブジェクトの表示を制御する。表示制御部１１０は、例えば、本実施形態に係る表示装置において装着されたユーザの側面の位置に設けられる操作デバイスにおける検出に応じて取得される操作信号に基づいて、表示オブジェクトを移動させる少なくとも一部の軌道が、表示面に対して垂直方向成分を有する軌道を示すように、表示オブジェクトの表示を制御する。
【０１２１】
ここで、表示制御装置１００と本実施形態に係る表示装置とが別体の装置である場合には、表示制御部１１０は、例えば、通信部１０２が受信した操作信号に基づいて、本実施形態に係る表示制御方法に係る処理を行う。また、上記の場合、表示制御部１１０は、例えば、通信部１０２に、処理結果に対応する表示制御信号を、本実施形態に係る表示装置に対して送信させることによって、本実施形態に係る表示装置における表示オブジェクトの表示を制御する。
【０１２２】
また、表示制御装置１００と本実施形態に係る表示装置とが一体の装置である場合には、表示制御部１１０は、例えば、操作部１２から伝達される操作信号に基づいて、本実施形態に係る表示制御方法に係る処理を行う。また、上記の場合、表示制御部１１０は、例えば、処理結果に対応する表示制御信号を表示部１０に伝達することによって、本実施形態に係る表示装置における表示オブジェクトの表示を制御する。
【０１２３】
制御部１０４は、例えば、表示制御部１１０を備えることによって、本実施形態に係る表示制御方法に係る処理を主導的に行う。
【０１２４】
表示制御装置１００は、例えば図９に示す構成によって、本実施形態に係る表示制御方法に係る処理（例えば上記表示制御処理）を行う。したがって、表示制御装置１００は、例えば図９に示す構成によって、ユーザの操作性の向上を図ることができる。
【０１２５】
なお、本実施形態に係る表示制御装置の構成は、図９に示す構成に限られない。
【０１２６】
例えば、本実施形態に係る表示制御装置は、図９に示す表示制御部１１０を個別に備える（例えば、それぞれを個別の処理回路で実現する）ことができる。
【０１２７】
また、本実施形態に係る表示制御装置は、例えば、スタンドアロンで処理を行う構成である場合（例えば、本実施形態に係る表示装置と一体の装置である場合など）には、通信部１０２を備えていなくてもよい。
【０１２８】
以上のように、本実施形態に係る表示制御装置は、本実施形態に係る表示制御方法に係る処理として、例えば、上記表示制御処理を行う。ここで、本実施形態に係る表示制御装置は、例えば図４のＢに示すように、表示面に表示させる表示オブジェクトの全体を、表示面に対して垂直方向成分を有するように表示させる。また、本実施形態に係る表示制御装置は、例えば図７のＢのＰ１に示すように、表示面に表示させる表示オブジェクトのうちの一の部分を、表示面に対して垂直方向成分を有さないように表示させ、例えば図７のＢのＰ２に示すように、表示面に表示させる表示オブジェクトのうちの他の部分を、表示面に対して垂直方向成分を有するように表示させる。
【０１２９】
よって、表示面に表示されている表示オブジェクトをみるユーザは、操作方向と移動方向とをより直感的に認識することができる。また、操作方向と移動方向とをより直感的に認識することが可能となることによって、例えば、ユーザ行った操作の結果生じる表示面の表示内容の変化がユーザが所望する変化とならないことが、防止される。
【０１３０】
したがって、本実施形態に係る表示制御装置は、ユーザの操作性の向上を図ることができる。
【０１３１】
以上、本実施形態として表示装置を挙げて説明したが、本実施形態は、かかる形態に限られない。本実施形態は、例えば、ＨＭＤや、片眼鏡（モノクル）型の装置など、“ユーザの前方に表示面が位置し、また、ユーザの側面に操作デバイスが位置する構成を有する、任意の形状の装置”に適用することが可能である。
【０１３２】
また、本実施形態として表示制御装置を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣやサーバなどのコンピュータ、テレビ受像機などの表示装置など、様々な機器に適用することができる。また、本実施形態は、例えば、本実施形態に係る表示装置に適用することも可能である。さらに、本実施形態は、例えば、上記のような機器や本実施形態に係る表示装置に組み込むことが可能な、処理ＩＣ（Integrated  Circuit）に適用することもできる。
【０１３３】
（本実施形態に係るプログラム）
コンピュータを、本実施形態に係る表示制御装置として機能させるためのプログラム（例えば、本実施形態に係る表示制御処理など、本実施形態に係る表示制御方法に係る処理を実行することが可能なプログラム）が、コンピュータにおいて実行されることによって、ユーザの操作性の向上を図ることができる。
【０１３４】
（本実施形態に係る表示システム）
次に、例えば図１のＡ、Ｂに示すような本実施形態に係る表示装置と、本実施形態に係る表示装置に対する操作が可能な本実施形態に係る操作装置とを有する、本実施形態に係る表示システムについて説明する。
【０１３５】
図１１は、本実施形態に係る表示システム１０００の一例を示す説明図である。
【０１３６】
表示システム１０００は、例えば、本実施形態に係る表示装置（図１１に示すＡ）と、本実施形態に係る操作装置（図１１に示すＢ、Ｃ）と、スマートフォンなどのユーザが操作可能な通信装置（図１１に示すＤ）とを有する。図１１のＢに示す操作装置は、リモート・コントローラ（操作デバイス）の一例である。また、図１１のＣに示す操作装置は、ユーザの体に装着して用いられるウェアラブル型の操作デバイスの一例である。図１１のＣでは、ユーザの腕に装着して用いられる時計型の操作デバイスの一例を示している。ここで、図１１のＢ、Ｃに示す本実施形態に係る操作装置は、例えば、上述した本実施形態に係る“表示装置においてユーザの側面の位置に設けられる操作デバイス以外の操作デバイス”の一例に該当する。また、表示システム１０００では、例えば、さらに図１１のＤに示す通信装置が、上述した本実施形態に係る“表示装置においてユーザの側面の位置に設けられる操作デバイス以外の操作デバイス”の役目を果たしてもよい。つまり、表示システム１０００では、図１１のＤに示す通信装置も、本実施形態に係る操作装置の役目を果たすことが可能である。
【０１３７】
本実施形態に係る表示装置は、例えば、図１を参照して説明した構成（変形例も含む。）を有する。なお、本実施形態に係る表示装置の構成が、図１を参照して説明した構成に限られないことは、言うまでもない。
【０１３８】
本実施形態に係る操作装置は、例えば、ボタンやタッチセンサなどの操作デバイスや、制御部（図示せず）、通信部（図示せず）を備える。なお、本実施形態に係る操作装置が備える操作デバイスの一例については、後述する。
【０１３９】
本実施形態に係る操作装置が備える制御部（図示せず）は、ＭＰＵや各種処理回路などで構成され、本実施形態に係る操作装置全体を制御する。また、本実施形態に係る操作装置が備える制御部（図示せず）は、本実施形態に係る操作装置が備える通信部（図示せず）や接続されている外部通信デバイスにおける通信を制御し、例えば、操作デバイスにおける検出に応じた操作信号を、本実施形態に係る表示装置や図１１のＤに示す通信装置などの外部装置へ送信させる。
【０１４０】
本実施形態に係る操作装置が備える通信部（図示せず）は、本実施形態に係る表示装置などの外部装置と無線／有線で通信を行う役目を果たす。本実施形態に係る操作装置が備える通信部（図示せず）としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。
【０１４１】
なお、本実施形態に係る操作装置の構成は、上記に限られない。
【０１４２】
例えば、接続されている外部通信デバイスを介して本実施形態に係る表示装置などの外部装置と通信を行う構成である場合には、本実施形態に係る操作装置は、通信部（図示せず）を備えていなくてもよい。
【０１４３】
また、本実施形態に係る操作装置は、例えば、各デバイスに電力を供給するバッテリ（図示せず）を備えていてもよい。ここで、本実施形態に係る操作装置が備えるバッテリ（図示せず）としては、例えば、リチウムイオン電池などの二次電池などが挙げられる。なお、本実施形態に係る操作装置が、商用電源などの外部電源から電力を得て駆動する場合には、本実施形態に係る操作装置は、バッテリ（図示せず）を備えていなくてもよい。
【０１４４】
表示システム１０００は、例えば、上記のような構成を有する本実施形態に係る表示装置と、上記のような構成を有する本実施形態に係る操作装置とを有する。なお、本実施形態に係る表示システムの構成は、図１１に示す構成に限られない。
【０１４５】
例えば、本実施形態に係る表示システムは、図１１のＤに示すユーザが操作可能な通信装置を有していなくてもよい。
【０１４６】
また、図１１では、本実施形態に係る操作装置として、図１１のＢに示すリモート・コントローラと、図１１のＣに示すウェアラブル型の操作デバイスとの２つの装置を示しているが、本実施形態に係る表示システムが有する本実施形態に係る操作装置は、図１１のＢ、Ｃに示す２つの装置に限られない。例えば、本実施形態に係る表示システムは、１または２以上の本実施形態に係る操作装置を有する構成をとることが可能である。
【０１４７】
以下では、図１１に示す表示システム１０００を例に挙げて、本実施形態に係る表示システムについて説明する。
【０１４８】
表示システム１０００では、例えば、ユーザの操作に基づいて、本実施形態に係る表示装置の表示面における表示が制御される。ここで、表示システム１０００では、ユーザが、例えば、本実施形態に係る表示装置が備える操作デバイスと、本実施形態に係る操作装置が備える操作デバイスとを操作することによって、本実施形態に係る表示装置の表示面における表示が制御される。
【０１４９】
図１２は、表示システム１０００における、本実施形態に係る表示装置の表示面における表示の制御に係る操作が可能な操作デバイスの一例を示す説明図である。
【０１５０】
図１２に示すＡは、本実施形態に係る表示装置が備える操作デバイスの一例を示しており、本実施形態に係る表示装置を構成するテンプル部材上の位置に、操作デバイスが設けられている例を示している。本実施形態に係る表示装置は、例えば、ユーザに装着されたときにユーザの前方側に位置するセンサ（図１２のＡに示すＦｒｏｎｔ  Ｓｅｎｓｏｒ。図１のＣに示す第１センサ２２に相当する。）と、ユーザに装着されたときにユーザの後方側に位置するセンサ（図１２のＡに示すＲｅａｒ  Ｓｅｎｓｏｒ。図１のＣに示す第２センサ２４に相当する。）とを、操作デバイスとして有する。本実施形態に係る表示装置が備えるセンサとしては、例えば、赤外線近接センサや、静電容量方式など各種方式のタッチセンサ、画像センサなどが挙げられる。なお、本実施形態に係る表示装置が操作デバイスとして有するセンサは、図１２のＡに示す例に限られない。例えば、本実施形態に係る表示装置が備える操作デバイスは、ユーザに装着されたときにユーザの前方側に位置するセンサと、ユーザに装着されたときにユーザの後方側に位置するセンサとが、一体となっているセンサであってもよい。
【０１５１】
図１２に示すＢは、図１１のＢに示すリモート・コントローラ（本実施形態に係る操作装置の一例）が備える操作デバイスの一例を示している。リモート・コントローラは、例えば、図１２のＢに示すように、様々なボタンを操作デバイスとして備える。
【０１５２】
図１２に示すＣは、図１１のＣに示すウェアラブル型の操作デバイス（本実施形態に係る操作装置の一例）が備える操作デバイスの一例を示している。ウェアラブル型の操作デバイスは、例えば、図１２のＣに示すように、静電容量方式などの各種方式のタッチセンサを操作デバイスとして備える。
【０１５３】
なお、本実施形態に係る表示装置、および本実施形態に係る操作装置が備える操作デバイスの例が、図１２に示す例に限られないことは、言うまでもない。
【０１５４】
以下、本実施形態に係る表示装置の表示面における表示の制御に係る操作が可能な操作デバイスが、図１２のＡ〜Ｃに示す操作デバイスである場合を例に挙げて、表示システム１０００における操作の一例と、表示システム１０００における表示の一例を説明する。
【０１５５】
［Ｉ］表示システム１０００における操作の一例
図１３Ａ〜図１３Ｅは、本実施形態に係る表示システム１０００における、操作デバイスを用いた操作の一例を示す説明図である。ここで、図１３Ａ〜図１３Ｅは、ユーザが行う操作（各図に示す“ｇｅｓｔｕｒｅ”）と、当該操作に応じて本実施形態に係る表示装置において認識される操作（各図に示す“ｕｓｅｒ  ａｃｔｉｏｎ”）との対応付けの一例を示している。なお、ユーザが行う操作と、当該操作に応じて本実施形態に係る表示装置において認識される操作との対応付けの例が、図１３Ａ〜図１３Ｅに示す例に限られないことは、言うまでもない。
【０１５６】
図１３Ａは、本実施形態に係る表示装置において認識される“決定操作（図１３Ａに示すＥｎｔｅｒ）”および“戻る操作、または、取り消し操作（図１３Ａに示すＢａｃｋ）”それぞれと、ユーザが行う操作との対応付けの一例を示している。
【０１５７】
例えば、ユーザが下記の操作を行うことによって、本実施形態に係る表示装置では“決定操作”が認識される。
・本実施形態に係る表示装置が備える前方側に位置するセンサを、所定の時間以上（または、所定の時間を超えて）タッチする操作
・リモート・コントローラが備えるＥｎｔｅｒボタンを押下する操作
・ウェアラブル型の操作デバイスのタッチセンサをタッチする操作
【０１５８】
また、例えば、ユーザが下記の操作を行うことによって、本実施形態に係る表示装置では“戻る操作、または、取り消し操作”が認識される。
・本実施形態に係る表示装置が備える後方側に位置するセンサを、所定の時間以上（または、所定の時間を超えて）タッチする操作
・リモート・コントローラが備えるＢＡＣＫボタンを押下する操作
・ウェアラブル型の操作デバイスのタッチセンサを、所定の時間以上（または、所定の時間を超えて）タッチする操作
【０１５９】
図１３Ｂに示すＡは、本実施形態に係る表示装置において認識される“表示オブジェクトやカーソルなどを、左側へ移動させる操作（図１３Ｂに示すＬｅｆｔ）”と、ユーザが行う操作との対応付けの一例を示している。また、図１３Ｂに示すＢは、本実施形態に係る表示装置において認識された結果、表示面に表示される表示内容の変化の一例を示している。
【０１６０】
例えば、ユーザが下記の操作を行うことによって、本実施形態に係る表示装置では“左側へ移動させる操作”が認識される。
・本実施形態に係る表示装置が備える前方側に位置するセンサをタッチした後に、後方側に位置するセンサをタッチする操作
・リモート・コントローラが備えるＬｅｆｔボタンを押下する操作
・ウェアラブル型の操作デバイスのタッチセンサ上で、向かって左側から右側に向けてスライドさせる操作
【０１６１】
また、例えば、ユーザが下記の操作を行うことによって、本実施形態に係る表示装置では、連続した“左側へ移動させる操作”が認識される。
・リモート・コントローラが備えるＬｅｆｔボタンを押下し続ける操作（図１３ＢのＡに示す“Ｃｏｎｔｉｎｕｏｕｓ  ｏｐｅｒａｔｉｏｎ”に該当する。）
【０１６２】
図１３Ｃに示すＡは、本実施形態に係る表示装置において認識される“表示オブジェクトやカーソルなどを、右側へ移動させる操作（図１３Ｃに示すＲｉｇｈｔ）”と、ユーザが行う操作との対応付けの一例を示している。また、図１３Ｃに示すＣは、本実施形態に係る表示装置において認識された結果、表示面に表示される表示内容の変化の一例を示している。
【０１６３】
例えば、ユーザが下記の操作を行うことによって、本実施形態に係る表示装置では“右側へ移動させる操作”が認識される。
・本実施形態に係る表示装置が備える後方側に位置するセンサをタッチした後に、前方側に位置するセンサをタッチする操作
・リモート・コントローラが備えるＲｉｇｈｔボタンを押下する操作
・ウェアラブル型の操作デバイスのタッチセンサ上で、向かって右側から左側に向けてスライドさせる操作
【０１６４】
また、例えば、ユーザが下記の操作を行うことによって、本実施形態に係る表示装置では、連続した“右側へ移動させる操作”が認識される。
・リモート・コントローラが備えるＲｉｇｈｔボタンを押下し続ける操作（図１３ＣのＡに示す“Ｃｏｎｔｉｎｕｏｕｓ  ｏｐｅｒａｔｉｏｎ”に該当する。）
【０１６５】
図１３Ｄに示すＡは、本実施形態に係る表示装置において認識される“表示オブジェクトやカーソルなどを、上側へ移動させる操作（図１３Ｄに示すＵｐ）”および“表示オブジェクトやカーソルなどを、下側へ移動させる操作（図１３Ｄに示すＤｏｗｎ）”それぞれと、ユーザが行う操作との対応付けの一例を示している。また、図１３Ｄに示すＢは、本実施形態に係る表示装置において“上側へ移動させる操作”が認識された結果、表示面に表示される表示内容の変化の一例を示している。また、図１３Ｄに示すＣは、本実施形態に係る表示装置において“下側へ移動させる操作”が認識された結果、表示面に表示される表示内容の変化の一例を示している。
【０１６６】
例えば、ユーザが下記の操作を行うことによって、本実施形態に係る表示装置では“上側へ移動させる操作”が認識される。
・リモート・コントローラが備えるＵｐボタンを押下する操作
・ウェアラブル型の操作デバイスのタッチセンサ上で、向かって上側から下側に向けてスライドさせる操作
【０１６７】
また、例えば、ユーザが下記の操作を行うことによって、本実施形態に係る表示装置では“下側へ移動させる操作”が認識される。
・リモート・コントローラが備えるＤｏｗｎボタンを押下する操作
・ウェアラブル型の操作デバイスのタッチセンサ上で、向かって下側から上側に向けてスライドさせる操作
【０１６８】
図１３Ｅは、本実施形態に係る表示装置において認識される“表示面における表示をオン／オフする操作（図１３Ｅに示すＤｉｓｐｌａｙ  Ｏｎ／Ｏｆｆ）”、“本実施形態に係る表示装置の電源をオン／オフする操作（図１３Ｅに示すＰｏｗｅｒ  Ｏｎ／Ｏｆｆ）”、および“所定の通信方式の無線通信を通信可能な状態とするための操作（図１３Ｅに示すＰａｉｒｉｎｇ  ａｎｄ  ＢＴ  ｃｏｎｎｅｃｔｉｏｎ）”それぞれと、ユーザが行う操作との対応付けの一例を示している。
【０１６９】
例えば、ユーザが下記の操作を行うことによって、本実施形態に係る表示装置では“表示面における表示をオン／オフする操作”が認識される。
・本実施形態に係る表示装置が備える前方側に位置するセンサおよび後方側に位置するセンサを、所定の時間以上（または、所定の時間を超えて）タッチする操作
・リモート・コントローラが備えるＰｏｗｅｒボタンを、設定されている第１の時間以下（または、第１の時間未満）押下する操作
【０１７０】
また、例えば、ユーザが下記の操作を行うことによって、本実施形態に係る表示装置では“本実施形態に係る表示装置の電源をオン／オフする操作”が認識される。
・リモート・コントローラが備えるＰｏｗｅｒボタンを、設定されている第１の時間より長く（または、第１の時間以上）、設定されている第２の時間以下（または、第１の時間未満）押下する操作
ただし、第１の時間＜第２の時間
【０１７１】
また、例えば、ユーザが下記の操作を行うことによって、本実施形態に係る表示装置では“所定の通信方式の無線通信を通信可能な状態とするための操作”が認識される。
・リモート・コントローラが備えるＰｏｗｅｒボタンを、設定されている第１の時間以下（または、第１の時間未満）押下する操作：初回設定時
・リモート・コントローラが備えるＰｏｗｅｒボタンを、設定されている第２の時間より長く（または、第２の時間以上）、設定されている第３の時間以下（または、第３の時間未満）押下する操作
ただし、第２の時間＜第３の時間
【０１７２】
［ＩＩ］表示システム１０００における表示の一例
次に、例えば図１３Ａ〜図１３Ｅに示すようなユーザの操作によって実現される、表示システム１０００における表示の一例について説明する。
【０１７３】
図１４は、本実施形態に係る表示システム１０００における表示の一例を説明するための説明図であり、本実施形態に係る表示装置の表示面に表示される表示内容の一例を示している。
【０１７４】
図１４に示すＡは、本実施形態に係る表示装置における表示がオフの状態を示している。
【０１７５】
図１４に示すＢ１、Ｂ２は、表示面に表示される基準画面（いわゆるホーム画面）の一例を示している。例えば図１４のＢ１、Ｂ２に示すように、本実施形態に係る基準画面では、表示オブジェクトが表示される領域を示す枠（例えば、表示オブジェクトを囲むように表示される枠）が描画されない。上記のように、表示オブジェクトが表示される領域を示す枠が描画されないことによって、ユーザに対して、あたかも表示オブジェクトが浮いているような感覚を与えることが可能となる。
【０１７６】
ここで、図１４のＢ１、Ｂ２に示すＩは、バッテリの残量を示すアイコンである。本実施形態に係るバッテリの残量を示すアイコンは、例えば、本実施形態に係る表示装置が備えるバッテリの残量を示すが、本実施形態に係るバッテリの残量を示すアイコンが示すバッテリの残量は、上記に限られない。例えば、本実施形態に係るバッテリの残量を示すアイコンは、本実施形態に係る操作装置が備えるバッテリの残量や、図１１のＤに示す通信装置が備えるバッテリの残量など、本実施形態に係る表示装置の外部装置が備えるバッテリの残量を示していてもよい。本実施形態に係る表示装置は、例えば、外部装置からバッテリの残量を示すデータを取得することによって、取得された当該データが示す外部装置が備えるバッテリの残量を示すアイコンＩを、表示面に表示させる。
【０１７７】
図１４に示すＣ１、Ｃ２は、例えば、図１４に示すＢ１、Ｂ２に示す基準画面において表示オブジェクトが選択された場合に表示される、選択された表示オブジェクトに対応する画面の一例を示している。ここで、図１４のＣ１、Ｃ２に示す画面が表示されているときに、図１４のＡに示す本実施形態に係る表示装置における表示がオフの状態となり、再度、本実施形態に係る表示装置における表示がオンの状態となった場合には、本実施形態に係る表示装置の表示面には、例えば、オフの状態となる前の画面（図１４のＣ１やＣ２に示す画面）が表示される。
【０１７８】
また、例えば図１４のＣ１、Ｃ２に示すように、文章（図１４のＣ１、Ｃ２では、“ｘｘｘ…”、“ｙｙｙ…”で示されている。）が表示される画面である場合には、文章全文が表示面に表示しきれない場合がある。上記のように文章全文が表示面に表示しきれない場合、本実施形態に係る表示装置は、例えば、自動的にスクロール表示させることによって、文章全文をユーザに提示する。なお、上記のように文章全文が表示面に表示しきれない場合における本実施形態に係る表示装置の処理は、上記に限られない。例えば、本実施形態に係る表示装置は、ユーザの操作に基づく操作信号に応じてスクロール表示させてもよい。また、ユーザの操作に基づく操作信号に応じてスクロール表示させる場合には、本実施形態に係る表示装置は、例えば、自動的にスクロール表示させなくてもよい。
【０１７９】
図１４に示すＤ１、Ｄ２は、例えば、図１４のＣ１、Ｃ２に示す画面において表示オブジェクトが選択された場合に表示される、選択された表示オブジェクトに対応する画面の一例を示している。ここで、図１４のＤ１、Ｄ２に示す画面が表示されているときに、図１４のＡに示す本実施形態に係る表示装置における表示がオフの状態となり、再度、本実施形態に係る表示装置における表示がオンの状態となった場合には、本実施形態に係る表示装置の表示面には、例えば、オフの状態となる前の画面（図１４のＤ１やＤ２に示す画面）が表示される。
【０１８０】
図１４に示すＥは、例えば、図１４に示すＢ１、Ｂ２に示す基準画面において、サードパーティ製の表示オブジェクトが選択された場合に表示される、選択された表示オブジェクトに対応する画面の一例を示している。
【０１８１】
本実施形態に係る表示システム１０００では、例えば図１３Ａ〜図１３Ｅに示すようなユーザの操作によって、例えば図１４に示すような表示内容の遷移が実現される。
【０１８２】
なお、例えば図１３Ａ〜図１３Ｅに示すようなユーザの操作による表示内容の遷移は、図１４に示す例に限られない。以下、例えば図１３Ａ〜図１３Ｅに示すようなユーザの操作による本実施形態に係る表示装置の表示面に表示される表示内容の遷移の例を説明する。
【０１８３】
図１５Ａ〜図１５Ｈは、本実施形態に係る表示システム１０００における表示の他の例を説明するための説明図であり、本実施形態に係る表示装置の表示面に表示される表示内容の一例を示している。
【０１８４】
図１５Ａは、ユーザにより図１３Ｅに示す“本実施形態に係る表示装置の電源をオン／オフする操作”が行われた場合における表示内容の遷移の一例を示している。
【０１８５】
例えば、本実施形態に係る表示装置の電源がオフ状態のときに“本実施形態に係る表示装置の電源をオン／オフする操作”が行われた場合には、本実施形態に係る表示装置は、当該操作に応じた操作信号に基づいて、電源をオンする。その結果、本実施形態に係る表示装置の表示面の表示内容は、例えば、図１５Ａに示すＡ１の状態から図１５Ａに示すＡ２の状態へと変化する。
【０１８６】
また、例えば、本実施形態に係る表示装置の電源がオン時に“本実施形態に係る表示装置の電源をオン／オフする操作”が行われた場合には、実施形態に係る表示装置は、当該操作に応じた操作信号に基づいて、電源をオフする。その結果、本実施形態に係る表示装置の表示面の表示内容は、例えば、図１５Ａに示すＢ１の状態から図１５Ａに示すＢ２の状態へと変化する。
【０１８７】
図１５Ｂは、ユーザにより図１３Ｅに示す“表示面における表示をオン／オフする操作”が行われた場合における表示内容の遷移の一例を示している。
【０１８８】
例えば、本実施形態に係る表示装置の表示面における表示がオフ状態のときに“表示面における表示をオン／オフする操作”が行われた場合には、本実施形態に係る表示装置は、当該操作に応じた操作信号に基づいて、表示面における表示をオンする。その結果、本実施形態に係る表示装置の表示面の表示内容は、例えば、図１５Ｂに示すＡ１の状態から図１５Ｂに示すＡ２の状態へと変化する。
【０１８９】
また、例えば、本実施形態に係る表示装置の表示面における表示がオン時に“表示面における表示をオン／オフする操作”が行われた場合には、本実施形態に係る表示装置は、当該操作に応じた操作信号に基づいて、表示面における表示をオフする。その結果、本実施形態に係る表示装置の表示面の表示内容は、例えば、図１５Ｂに示すＢ１の状態から図１５Ｂに示すＢ２の状態へと変化する。
【０１９０】
なお、本実施形態に係る表示装置は、例えば、本実施形態に係る表示装置の表示面における表示がオン時において、“表示面における表示をオン／オフする操作”に応じた操作信号が取得されない場合であっても、自動的に表示面における表示をオフすることも可能である。本実施形態に係る表示装置は、例えば、本実施形態に係る表示装置の表示面における表示がオン時において、設定されている所定の期間が経過しても何らの操作信号が取得されない場合などには、自動的に表示面における表示をオフする。自動的に表示面における表示がオフされた場合、本実施形態に係る表示装置の表示面の表示内容は、例えば、図１５Ｂに示すＣ１の状態から図１５Ｂに示すＣ２の状態へと変化する。
【０１９１】
図１５Ｃは、図１４のＢ１、Ｂ２に示す基準画面において、図１３Ａ〜図１３Ｃ、図１３Ｅに示す各種操作が行われた場合における表示内容の遷移の一例を示している。また、図１５Ｄは、図１４のＣ１、Ｃ２、Ｄ１、Ｄ２に示す画面において、図１３Ａ〜図１３Ｃに示す各種操作が行われた場合における表示内容の遷移の一例を示している。例えば図１５Ｃ、図１５Ｄに示すように、本実施形態に係る表示装置は、行われた操作に応じた操作信号に基づいて、本実施形態に係る表示装置の表示面の表示内容を、操作に対応する内容に変える。なお、例えば図１５ＤのＡ１、Ａ２に示すように、文章（図１５ＤのＡ１、Ａ２では、“ｘｘｘ…”、“ｙｙｙ…”で示されている。）が表示される画面である場合には、上述したように、本実施形態に係る表示装置は、例えば、自動的にスクロール表示させることによって、文章全文をユーザに提示してもよい。
【０１９２】
図１５Ｅに示すＡは、図１４のＢ１、Ｂ２に示す基準画面において、サードパーティ製の表示オブジェクトに対して図１３Ａに示す“決定操作”が行われた場合における表示内容の遷移の一例を示している。また、図１５Ｅに示すＢは、例えば図１４のＥに示すサードパーティ製の表示オブジェクトが選択された場合に表示される画面が表示されている場合において、ユーザにより図１３Ｅに示す“表示面における表示をオン／オフする操作”が行われた場合における表示内容の遷移の一例を示している。例えば図１５Ｅに示すように、本実施形態に係る表示装置は、行われた操作に応じた操作信号に基づいて、本実施形態に係る表示装置の表示面の表示内容を、操作に対応する内容に変える。
【０１９３】
図１５Ｆは、図１４のＣ１、Ｃ２、Ｄ１、Ｄ２に示す画面において、図１３Ａ〜図１３Ｃに示す各種操作が行われた場合における表示内容の遷移の他の例を示している。
【０１９４】
例えば、図１５ＦのＡ１に示す画面において、図１３Ｂに示す“左側へ移動させる操作”や図１３Ｃに示す“右側へ移動させる操作”が行われた場合には、本実施形態に係る表示装置は、例えば、表示面の表示内容を、図１５ＦのＡ２や図１５ＦのＡ４に示す表示内容に変える。ここで、表示内容が遷移された場合、遷移後の表示内容が、これ以上“左側へ移動させる操作”や“右側へ移動させる操作”を受け付けない表示内容であることもありうる。
【０１９５】
そこで、これ以上“左側へ移動させる操作”を受け付けない表示内容である場合には、本実施形態に係る表示装置は、例えば、例えば図１５ＦのＡ３に示すように、表示内容を移動できない方向とは逆の方向に伸ばす表現に変更する。また、これ以上“右側へ移動させる操作”を受け付けない表示内容である場合には、本実施形態に係る表示装置は、例えば、例えば図１５ＦのＡ５に示すように、表示内容を移動できない方向とは逆の方向に伸ばす表現に変更する。
【０１９６】
例えば図１５ＦのＡ３、Ａ５に示すような表現で表示内容が表示面に表示されることによって、ユーザは、これ以上“左側へ移動させる操作”や“右側へ移動させる操作”が行えないことを認識することが可能となる。したがって、本実施形態に係る表示装置が、例えば図１５ＦのＡ３、Ａ５に示すように、操作が行えないことを示す表現により表示内容を表示面に表示することによって、ユーザの操作性をより向上させることができる。
【０１９７】
なお、本実施形態に係る操作が行えないことを示す表現は、図１５ＦのＡ３、Ａ５に示す例に限られない。例えば、本実施形態に係る表示装置は、“画面におけるこれ以上操作を行えない方向に対応する端を光らせる表現”や、“画面において操作が行える方向に向けた矢印を、表示させる表現”など、操作が行えないことをユーザに通知することが可能な任意の表現を用いて、表示内容を表示面に表示させてもよい。
【０１９８】
また、例えば図１５ＦのＡ１〜Ａ５に示すように、文章（図１５ＦのＡ１〜Ａ５では、“ｖｖｖ…”、“ｘｘｘ…”、“ｙｙｙ…”で示されている。）が表示される画面である場合には、上述したように、本実施形態に係る表示装置は、例えば、自動的にスクロール表示させることによって、文章全文をユーザに提示してもよい。
【０１９９】
図１５Ａ〜図１５Ｆでは、本実施形態に係る表示装置が、ユーザの操作に応じた操作信号に基づいて、表示面に表示される表示内容を遷移させる例を示した。しかしながら、本実施形態に係る表示装置における処理は、操作信号に基づいて表示面に表示される表示内容を遷移させることに限られない。
【０２００】
例えば、本実施形態に係る表示装置は、新たなメールの受信や、ツイートなどの新たな書き込みの受信など、設定されているトリガに基づいて、表示面に表示される表示内容を遷移させてもよい。ここで、上記メールや書き込みなどの受信は、例えば、本実施形態に係る表示装置における受信であってもよいし、図１１のＤに示すような通信装置などの外部装置における受信であってもよい。本実施形態に係る表示装置は、例えば、上記メールや書き込みなどが受信されたことを示すデータや、受信された上記メールや書き込みなどのデータを、外部装置から取得することによって、外部装置における上記メールや書き込みなどの受信を、トリガとする。
【０２０１】
図１５Ｇ、図１５Ｈは、設定されているトリガが検出された場合における表示内容の遷移の一例を示している。ここで、図１５Ｇは、本実施形態に係る表示装置の表示面における表示がオフ状態のときに、設定されているトリガが検出された場合における表示内容の遷移の一例を示している。また、図１５Ｈは、本実施形態に係る表示装置の表示面における表示がオン状態のときに、設定されているトリガが検出された場合における表示内容の遷移の一例を示している。
【０２０２】
例えば、表示面における表示がオフ状態のときに設定されているトリガが検出された場合には、本実施形態に係る表示装置は、表示面の表示内容を、図１５ＧのＡに示す状態から、検出されたトリガに対応する図１５ＧのＢに示す状態へと変化させる。また、図１５ＧのＢに示す状態において他のトリガが検出された場合には、本実施形態に係る表示装置は、表示面の表示内容を、図１５ＧのＢに示す状態から、検出されたトリガに対応する図１５ＧのＣに示す状態へと変化させる。また、図１５ＧのＢ、Ｃに示す状態において、図１３Ａに示す“決定操作”に応じた操作信号が取得された場合には、本実施形態に係る表示装置は、表示面の表示内容を、図１５ＧのＢ、Ｃに示す状態から、操作信号に対応する図１５ＧのＤに示す状態へと変化させる。
【０２０３】
また、表示面における表示がオン状態のときに設定されているトリガが検出された場合、本実施形態に係る表示装置は、例えば、図１５ＨのＡ２、Ｂ２、Ｃ２、Ｄ２に示すように、検出されたトリガに対応するアイコンＩを、表示面に表示させる。
【０２０４】
例えば、検出されたトリガに対応するアイコンＩが表示面に表示されることによって、ユーザは、新たなメールの受信や新たな書き込みの受信が行われたことなどを認識することが可能となる。したがって、本実施形態に係る表示装置が、例えば図１５ＨのＡ２、Ｂ２、Ｃ２、Ｄ２に示すように、検出されたトリガに対応するアイコンＩを表示面に表示することによって、ユーザの操作性をより向上させることができる。
【０２０５】
表示システム１０００では、例えば図１４、図１５Ａ〜図１５Ｈに示すように、図１３Ａ〜図１３Ｅに示すようなユーザの操作に応じた操作信号や、検出されたトリガに基づいて、表示面に表示される表示内容を遷移させる。
【０２０６】
なお、表示システム１０００における表示の例は、図１４、図１５Ａ〜図１５Ｈに示す例に限られない。そこで、次に、表示システム１０００における表示の他の例について説明する。
【０２０７】
［ＩＩＩ］表示システム１０００における表示の他の例
（ｉ）第１の例：操作をフィードバックすることが可能な表示
表示システム１０００を構成する本実施形態に係る表示装置が、例えば図１のＡ、Ｂや図１１のＡに示すように“ユーザの前方に表示オブジェクトを表示することが可能な表示面が位置するようにユーザに装着され、装着されたユーザの側面の位置に操作デバイスが設けられる表示装置”である場合には、本実施形態に係る表示装置を装着したユーザは、側面の操作デバイスを目で確認しつつ操作を行うことが困難である。そのため、例えば、操作デバイスを探す動作や髪の毛をかきあげる動作などの操作を意図していないユーザの動作が、操作デバイスで検出されることによって、ユーザが意図していない処理が、本実施形態に係る表示装置において行われることが起こりうる。また、上記のようにユーザが意図していない処理が本実施形態に係る表示装置において行われることによって、ユーザの操作性が低下する恐れがある。
【０２０８】
そこで、本実施形態に係る表示装置は、操作信号が取得された場合、操作信号が取得されたことをユーザに対してフィードバックする。また、本実施形態に係る表示装置は、フィードバックが開始されてから設定されている時間が経過した後に、取得された操作信号に基づく処理を行う。
【０２０９】
図１６Ａ、図１６Ｂは、本実施形態に係る表示システム１０００における表示の他の例を説明するための説明図であり、ユーザに対して取得された操作信号に対応する操作をフィードバックすることが可能な表示の一例を示している。ここで、図１６Ａに示すＡ〜Ｄは、表示面に表示される表示内容の変化を、Ａ〜Ｄの順番で時系列に示している。また、図１６Ｂに示すＡ〜Ｈは、表示面に表示される表示内容の変化を、Ａ〜Ｈの順番で時系列に示している。
【０２１０】
例えば、ある表示オブジェクトに対する“決定操作”が認識された場合、本実施形態に係る表示装置は、例えば図１６ＡのＢ〜Ｄのように、選択されている表示オブジェクトを示すフォーカス枠の表示を変化させる。図１６Ａに示す例では、本実施形態に係る表示装置は、フォーカス枠の表示が図１６ＡのＤに示す状態となったとき（すなわち、フィードバックが開始されてから設定されている時間が経過したとき）に、“決定操作”に対応する処理を行う。
【０２１１】
また、ユーザに対して取得された操作信号に対応する操作をフィードバックする方法は、図１６Ａのように、フォーカス枠の表示を変えることに限られない。例えば、本実施形態に係る表示装置は、図１６Ｂに示すように、プログレスを表現することによって、取得された操作信号に対応する操作をユーザに対してフィードバックすることも可能である。図１６のＢに示す例では、本実施形態に係る表示装置は、プログレスの表現が図１６ＢのＨに示す状態となったとき（すなわち、フィードバックが開始されてから設定されている時間が経過したとき）に、取得された操作信号が示す操作に対応する処理を行う。
【０２１２】
なお、図１６Ａ、図１６Ｂでは、本実施形態に係る表示装置が、取得された操作信号に対応する操作をユーザに対して視覚的にフィードバックする例を示したが、ユーザに対して取得された操作信号に対応する操作をフィードバックする方法は、視覚的にフィードバックする方法に限られない。例えば、本実施形態に係る表示装置は、操作の種類に対応する音声（音楽も含む）により聴覚的にフィードバックすることも可能である。また、本実施形態に係る表示装置は、例えば、触覚や嗅覚などユーザの他の感覚に対するフィードバックによって、ユーザに対して取得された操作信号に対応する操作をフィードバックしてもよい。
【０２１３】
例えば上記のように、取得された操作信号に対応する操作をユーザに対してフィードバックすることによって、ユーザは、操作を意図していない動作が操作デバイスで検出されていることを認識することができる。また、本実施形態に係る表示装置が、フィードバックが開始されてから設定されている時間が経過した後に、取得された操作信号に基づく処理を行うことによって、ユーザが意図していない処理が本実施形態に係る表示装置において行われる可能性は、低減する。
【０２１４】
したがって、上記のような処理を行うことによって、本実施形態に係る表示装置は、ユーザの操作性を向上させることができる。
【０２１５】
なお、本実施形態に係る操作を意図していない動作が操作デバイスで検出されることによる、ユーザの操作性の低下を防止する方法は、上記の方法に限られない。
【０２１６】
例えば、本実施形態に係る表示システム１０００では、操作デバイスにおいて操作が行われたことが検出される検出時間が短いユーザの動作（例えば、タップ動作やダブルタップ動作など）を、本実施形態に係る表示装置において認識される操作としなくてもよい。
【０２１７】
また、本実施形態に係る表示システム１０００では、例えば、検出時間と、操作デバイスにおいて操作が行われた位置が検出される検出位置とによって、本実施形態に係る表示装置において認識される操作を変えてもよい。検出時間と検出位置とによって本実施形態に係る表示装置において認識される操作を変える例としては、例えば、図１のＣに示す第１センサ２２において設定されている時間以上指などが検出されている場合には“決定”、図１のＣに示す第２センサ２４において設定されている時間以上指などが検出されている場合には“キャンセル”というコマンドを割り当てることなどが、挙げられる。
【０２１８】
（ｉｉ）第２の例：アニメーション表示
例えば図１４、図１５Ａ〜図１５Ｈを参照して説明したように、本実施形態に係る表示装置は、図１３Ａ〜図１３Ｅに示すようなユーザの操作に応じた操作信号や、検出されたトリガに基づいて、表示面に表示される表示内容を遷移させる。表示面に表示される表示内容を遷移させる場合において、本実施形態に係る表示装置は、アニメーション表示を用いることも可能である。
【０２１９】
図１７Ａ〜図１７Ｆは、本実施形態に係る表示システム１０００における表示の他の例を説明するための説明図であり、アニメーション表示の一例を示している。
【０２２０】
図１７Ａは、本実施形態に係る表示装置の表示面における表示をオフ状態からオン状態とする場合における、アニメーション表示の一例を示している。ここで、図１７Ａに示すＡ〜Ｄは、表示面に表示される表示内容の変化を、Ａ〜Ｄの順番で時系列に示している。
【０２２１】
本実施形態に係る表示装置の表示面における表示がオフ状態のときに、ユーザにより図１３Ｅに示す“表示面における表示をオン／オフする操作”が行われた場合には、本実施形態に係る表示装置は、当該操作に応じた操作信号に基づいて、表示面における表示をオンする。そして、本実施形態に係る表示装置は、例えば図１７ＡのＡ〜Ｄに示すようなアニメーション表示によって、表示オブジェクトを表示面に表示させる。
【０２２２】
本実施形態に係る表示装置の表示面における表示をオフ状態からオン状態とする場合において、例えば図１７ＡのＡ〜Ｄに示すようなアニメーション表示を行う場合には、表示される表示オブジェクトが急に表示面に現れないので、ユーザの視界を急に遮らない。また、表示される表示オブジェクトが急に表示面に現れないことによって、急に現れる表示オブジェクトによりユーザの注意が分散してしまうことが防止される。
【０２２３】
したがって、本実施形態に係る表示装置の表示面における表示をオフ状態からオン状態とする場合において、例えば図１７ＡのＡ〜Ｄに示すようなアニメーション表示を行うことによって、ユーザの利便性や操作性の低下を防止することができる。
【０２２４】
図１７Ｂは、図１４のＢ１、Ｂ２に示す基準画面において、例えばユーザが表示オブジェクトを選択するために図１３Ｂ、図１３Ｃに示す操作を行った場合における、アニメーション表示の一例を示している。ここで、図１７Ｂに示すＡ〜Ｇは、表示面に表示される表示内容の変化を、Ａ〜Ｇの順番で時系列に示している。
【０２２５】
例えば図１７ＢのＡ〜Ｇに示すように、本実施形態に係る表示装置は、例えば、表示オブジェクトの大きさや、表示オブジェクトの透過度を変えたアニメーション表示を用いて、表示オブジェクトを表示面に表示させる。
【０２２６】
図１７Ｃは、図１４のＢ１、Ｂ２に示す基準画面において、例えばユーザが表示オブジェクトを選択するために図１３Ａに示す“決定操作”を行った場合における、アニメーション表示の一例を示している。ここで、図１７Ｃに示すＡ〜Ｆは、表示面に表示される表示内容の変化を、Ａ〜Ｆの順番で時系列に示している。
【０２２７】
例えば図１７ＣのＡ〜Ｄに示すように、本実施形態に係る表示装置は、“決定操作”に対応する操作信号が示す表示オブジェクトを、他の表示オブジェクトよりも長く表示面に表示させ続けるアニメーション表示を用いる。そして、例えば図１７ＣのＥ、Ｆに示すように、本実施形態に係る表示装置は、“決定操作”に対応する操作信号が示す表示オブジェクトに対応する表示内容を、アニメーション表示を用いて表示面に表示させる。なお、例えば図１７ＣのＦに示すように、文章が表示される画面である場合には、上述したように、本実施形態に係る表示装置は、例えば、自動的にスクロール表示させることによって、文章全文をユーザに提示してもよい。
【０２２８】
図１７Ｄは、表示面に図１７ＣのＦに示す表示内容が表示されているときに、ユーザが図１３Ａに示す“戻る操作、または、取り消し操作”を行った場合における、アニメーション表示の一例を示している。ここで、図１７Ｄに示すＡ〜Ｅは、表示面に表示される表示内容の変化を、Ａ〜Ｅの順番で時系列に示している。
【０２２９】
例えば、表示面に図１７ＣのＦに示す表示内容が表示されているときに、ユーザが図１３Ａに示す“戻る操作、または、取り消し操作”を行った場合には、本実施形態に係る表示装置は、図１７ＤのＡ〜Ｅに示すように、図１７Ｃに示すアニメーション表示とは逆のアニメーション表示（すなわち、時系列が図１７ＣのＦ〜Ａの順番に相当するアニメーション表示）を用いて、表示内容を遷移させる。
【０２３０】
図１７Ｅは、本実施形態に係る表示装置の表示面における表示がオン時において、設定されている所定の期間が経過しても何らの操作信号が取得されない場合における、アニメーション表示の一例を示している。図１７Ｅに示すアニメーション表示は、いわゆるスタンバイ状態におけるアニメーション表示に相当する。ここで、図１７Ｅに示すＡ〜Ｃは、表示面に表示される表示内容の変化を、Ａ〜Ｃの順番で時系列に示している。
【０２３１】
本実施形態に係る表示装置の表示面における表示がオン時において、設定されている所定の期間が経過しても何らの操作信号が取得されない場合には、本実施形態に係る表示装置は、例えば図１７ＣのＡ〜Ｃに示すように、表示オブジェクトそれぞれが表示される位置を、表示オブジェクトごとに変化させる。例えば図１７ＣのＡ〜Ｃに示すように、表示オブジェクトそれぞれが表示される位置を表示オブジェクトごとに変化させることによって、各表示オブジェクトがあたかも漂っているような感覚を、ユーザに与えることが可能となる。
【０２３２】
図１７Ｆは、本実施形態に係る表示装置の表示面における表示をオン状態からオフ状態とする場合における、アニメーション表示の一例を示している。ここで、図１７Ｆに示すＡ〜Ｄは、表示面に表示される表示内容の変化を、Ａ〜Ｄの順番で時系列に示している。
【０２３３】
本実施形態に係る表示装置の表示面における表示をオン状態からオフ状態とする場合には、本実施形態に係る表示装置は、例えば図１７ＦのＡ〜Ｄに示すように、図１７Ａに示すアニメーション表示とは逆のアニメーション表示（すなわち、時系列が図１７ＡのＤ〜Ａの順番に相当するアニメーション表示）を用いて、表示内容を遷移させる。
【０２３４】
表示面に表示される表示内容を遷移させる場合、本実施形態に係る表示装置は、例えば図１７Ａ〜図１７Ｆに示すようなアニメーション表示を用いることが可能である。なお、本実施形態に係るアニメーション表示が、図１７Ａ〜図１７Ｆに示す例に限られないことは、言うまでもない。
【０２３５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３６】
例えば、上記では、コンピュータを、本実施形態に係る表示制御装置として機能させるためのプログラム（コンピュータプログラム）が提供されることを示したが、本実施形態は、さらに、上記プログラムを記憶させた記録媒体も併せて提供することができる。
【０２３７】
また、例えば図１１に示す表示システム１０００など、本実施形態に係る表示システムでは、例えば、本実施形態に係る表示システムを構成するいずれかの装置が、本実施形態に係る表示制御装置の役目を果たしていてもよい。また、本実施形態に係る表示システムは、例えば、さらに本実施形態に係る表示制御装置を有していてもよい。
【０２３８】
上述した構成は、本実施形態の一例を示すものであり、当然に、本開示の技術的範囲に属するものである。
【０２３９】
なお、以下のような構成も本開示の技術的範囲に属する。
（１）
ユーザの前方に表示オブジェクトを表示することが可能な表示面が位置するように前記ユーザに装着される表示装置における、前記表示面に表示される表示オブジェクトの表示を、制御する表示制御部を備え、
前記表示制御部は、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示制御装置。
（２）
前記表示制御部は、前記操作信号の取得状態に基づいて、選択的に、前記表示オブジェクトを移動させる少なくとも一部の軌道が、前記表示面に対して垂直方向成分を有する軌道を示すように、前記表示オブジェクトの表示を制御する、（１）に記載の表示制御装置。
（３）
前記表示制御部は、
前記操作信号が取得された場合には、前記表示オブジェクトを移動させる少なくとも一部の軌道が、前記表示面に対して垂直方向成分を有する軌道を示すように、前記表示オブジェクトの表示を制御し、
前記表示オブジェクトを移動させる少なくとも一部の軌道が、前記表示面に対して垂直方向成分を有する軌道を示すように、前記表示オブジェクトの表示を制御した後、設定されている所定の時間、前記操作信号が取得されない場合には、前記表示オブジェクトを移動させる軌道全体を、前記表示面に対して垂直方向成分を有さない軌道を示すように、前記表示オブジェクトの表示を制御する、（２）に記載の表示制御装置。
（４）
前記表示制御部は、前記操作信号が取得された場合には、前記表示面に表示させる表示オブジェクトのうちの少なくとも一部の表示オブジェクトを、前記表示面に対して垂直方向成分を有するように表示させる、（１）〜（３）のいずれか１つに記載の表示制御装置。
（５）
前記表示制御部は、
前記表示面に表示させる表示オブジェクトのうちの一の部分を、前記表示面に対して垂直方向成分を有さないように表示させ、
前記表示面に表示させる表示オブジェクトのうちの他の部分を、前記表示面に対して垂直方向成分を有するように表示させる、（４）に記載の表示制御装置。
（６）
前記表示制御部は、前記表示面に表示させる表示オブジェクトの全体を、前記表示面に対して垂直方向成分を有するように表示させる、（４）に記載の表示制御装置。
（７）
前記表示制御部は、前記操作信号が取得されていない場合には、前記表示オブジェクトを移動させる軌道全体が、前記表示面に対して垂直方向成分を有さない軌道を示すように、前記表示オブジェクトの表示を制御する、（１）〜（６）のいずれか１つに記載の表示制御装置。
（８）
前記表示制御部は、前記表示面に表示させる表示オブジェクトの全体を、前記表示面に対して垂直方向成分を有さないように表示させる、（７）に記載の表示制御装置。
（９）
前記表示制御部は、前記操作信号が取得された場合には、前記軌道に沿って、前記操作信号が示す操作方向に対応する方向にスクロールさせることによって、前記表示オブジェクトを移動させる、（１）〜（８）のいずれか１つに記載の表示制御装置。
（１０）
前記表示装置において前記ユーザの側面の位置に設けられる前記操作デバイス以外の操作デバイスにおける検出に応じた操作信号が取得された場合には、
前記表示制御部は、前記表示オブジェクトを移動させる少なくとも一部の軌道が、前記表示面に対して垂直方向成分を有する軌道を示すように、前記表示オブジェクトを表示させない、（１）〜（９）のいずれか１つに記載の表示制御装置。
（１１）
前記操作デバイスは、前記ユーザによる前記操作デバイスに対する操作入力、または、前記ユーザの前記操作デバイスへの近接を、検出する、（１）〜（１０）のいずれか１つに記載の表示制御装置。
（１２）
表示オブジェクトを表示することが可能な表示面を有し、ユーザに装着されたときに、前記ユーザの前方に前記表示面が位置する表示部と、
ユーザに装着されたときに、前記ユーザの側面の位置に設けられる操作部と、
前記表示面に表示される表示オブジェクトの表示を制御する表示制御部と、
を備え、
前記表示制御部は、前記操作部における検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示装置。
（１３）
前記操作部は、ユーザに装着されたときに、前記ユーザのこめかみ部分に位置するテンプル部材上に備えられる、（１２）に記載の表示装置。
（１４）
前記表示装置は、ユーザの頭部に装着されるヘッドマウントディスプレイである、（１２）、または（１３）に記載の表示装置。
（１５）
ユーザの前方に表示オブジェクトを表示することが可能な表示面が位置するように前記ユーザに装着される表示装置における、前記表示面に表示される表示オブジェクトの表示を、制御するステップを有し、
前記制御するステップでは、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、表示制御方法。
（１６）
ユーザの前方に表示オブジェクトを表示することが可能な表示面が位置するように前記ユーザに装着される表示装置における、前記表示面に表示される表示オブジェクトの表示を、制御するステップを、コンピュータに実行させ、
前記制御するステップでは、前記表示装置において前記ユーザの側面の位置に設けられる操作デバイスにおける検出に応じて取得される操作信号に基づいて、前記表示オブジェクトを移動させる少なくとも一部の軌道が、前記表示面に対して垂直方向成分を有する軌道を示すように、前記表示オブジェクトの表示を制御する、プログラム。
【符号の説明】
【０２４０】
１０    表示部
１２    操作部
１４    テンプル部材
１６    ブリッジ部材
１８    モダン部材
２０    パッド部材
２２    第１センサ
２４    第２センサ
１００    表示制御装置
１０２    通信部
１０４    制御部
１１０    表示制御部
１０００  表示システム
【図１】
2014164449.tif 000003
【図２】
2014164449.tif 000004
【図３】
2014164449.tif 000005
【図４】
2014164449.tif 000006
【図５】
2014164449.tif 000007
【図６Ａ】
2014164449.tif 000008
【図６Ｂ】
2014164449.tif 000009
【図６Ｃ】
2014164449.tif 000010
【図７】
2014164449.tif 000011
【図８Ａ】
2014164449.tif 000012
【図８Ｂ】
2014164449.tif 000013
【図９】
2014164449.tif 000014
【図１０】
2014164449.tif 000015
【図１１】
2014164449.tif 000016
【図１２】
2014164449.tif 000017
【図１３Ａ】
2014164449.tif 000018
【図１３Ｅ】
2014164449.tif 000019
【図１６Ａ】
2014164449.tif 000020
【図１６Ｂ】
2014164449.tif 000021
【図１３Ｂ】
2014164449.tif 000022
【図１３Ｃ】
2014164449.tif 000023
【図１３Ｄ】
2014164449.tif 000024
【図１４】
2014164449.tif 000025
【図１５Ａ】
2014164449.tif 000026
【図１５Ｂ】
2014164449.tif 000027
【図１５Ｃ】
2014164449.tif 000028
【図１５Ｄ】
2014164449.tif 000029
【図１５Ｅ】
2014164449.tif 000030
【図１５Ｆ】
2014164449.tif 000031
【図１５Ｇ】
2014164449.tif 000032
【図１５Ｈ】
2014164449.tif 000033
【図１７Ａ】
2014164449.tif 000034
【図１７Ｂ】
2014164449.tif 000035
【図１７Ｃ】
2014164449.tif 000036
【図１７Ｄ】
2014164449.tif 000037
【図１７Ｅ】
2014164449.tif 000038
【図１７Ｆ】
2014164449.tif 000039